(57)【要約】  信号送信装置は、３個の伝送信号をそれぞれ、各伝送信号の移相量が互いに１２０度だけ異なるように所定の移相量だけ移相させて３個の移相後信号を発生し、３個の移相後信号のうちの各１対の移相後信号が第１と第２の移相後信号を含むときに、当該第１の移相後信号の反転信号と当該第２の移相後信号とを合成しかつ当該合成をすべての各１対の移相後信号について実行することにより、３個の合成伝送信号を発生して３本の伝送線にそれぞれ送信する。信号受信装置は、受信した３個の合成伝送信号に基づいて３個の受信信号を発生し、各受信信号に基づいて各伝送信号の復号化信号を検出する。
2008053661.tif 000002
【特許請求の範囲】
【請求項１】
所定の周期を有する第１のクロック信号に同期して発生される３個以上の複数Ｎ個の伝送信号を、複数Ｎ本の伝送線を含む伝送線路を介して送信する信号送信装置であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力する移相手段と、
上記第１乃至第Ｎの移相後信号の反転信号をそれぞれ発生して出力する複数Ｎ個の反転手段と、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信する複数Ｎ個の符号化送信手段とを備えたことを特徴とする信号送信装置。
【請求項２】
請求項１記載の信号送信装置によって送信された複数Ｎ個の合成伝送信号を、複数Ｎ本の伝送線を含む伝送線路を介してそれぞれ受信する信号受信装置であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生する受信手段と、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化手段とを備えたことを特徴とする信号受信装置。
【請求項３】
上記復号化手段は、上記各伝送信号の復号化信号を一時的に記憶するレジスタ手段を備え、
上記復号化手段は、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力することを特徴とする請求項２記載の信号受信装置。
【請求項４】
請求項１記載の信号送信装置と、
請求項２又は３記載の信号受信装置と、
上記信号送信装置と上記信号受信装置とを接続する複数Ｎ本の伝送線を含む伝送線路とを備えたことを特徴とする信号伝送システム。
【請求項５】
所定の周期を有する第１のクロック信号に同期して発生される３個以上の複数Ｎ個の伝送信号を、複数Ｎ本の伝送線を含む伝送線路を介して送信する信号送信方法であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力するステップと、
上記第１乃至第Ｎの移相後信号の反転信号をそれぞれ発生して出力するステップと、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信するステップとを含むことを特徴とする信号送信方法。
【請求項６】
請求項５記載の信号送信方法によって送信された複数Ｎ個の合成伝送信号を、複数Ｎ本の伝送線を含む伝送線路を介してそれぞれ受信する信号受信方法であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生するステップと、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化ステップとを含むことを特徴とする信号受信方法。
【請求項７】
上記復号化ステップは、上記各伝送信号の復号化信号を一時的に記憶するステップを含み、
上記復号化ステップは、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力するステップをさらに含むことを特徴とする請求項６記載の信号受信方法。
【発明の詳細な説明】
【技術分野】
【０００１】
本発明は、複数の伝送信号を伝送する信号送信装置、複数の伝送信号を受信する信号受信装置、及び上記信号送信装置及び信号受信装置を備えた信号伝送システム並びにその信号送信方法及び信号受信方法に関する。
【背景技術】
【０００２】
近年、液晶テレビやプラズマテレビに代表されるフラットパネルディスプレイにおいて、ＶＧＡ(Ｖｉｄｅｏ  Ｇｒａｐｈｉｃｓ  Ａｒｒａｙ)からＸＧＡ(ｅＸｔｅｎｄｅｄ  Ｇｒａｐｈｉｃｓ  Ａｒｒａｙ)へと高画質となるに従い、画像情報を転送する信号速度は高速化が進んでいる。そこで、高速ディジタルデータ伝送の方式として、低振幅の差動伝送方式が用いられるようになった。この伝送方式は、１本の平衡ケーブル又はプリント基板上に形成された２本の配線パターンを介して、互いに逆相で振幅の等しい信号を伝送する方式である。特徴としては、低ノイズ、外来ノイズに対する強耐性、低電圧振幅、高速データ伝送などがあり、高速伝送の手法として、特にディスプレイの分野において導入が進んでいる。しかしながら、差動伝送方式は、１つのデータビット伝送に配線を２本必要とするため、複数のデータビットを伝送する場合に、配線数が比較的多くなり、プリント基板上の配線領域が広くなるという課題があった。【０００３】
特許文献１に記載の従来技術に係るデータ伝送システムによれば、２個のデータビットの各々の差動伝送を１本の相補データ線を含む３本（上記従来の差動伝送方式では４本）の伝送線で、４個のデータビットの各々の差動伝送を１本の相補データ線を含む５本（上記従来の差動伝送方式では８本）の伝送線でそれぞれ実現でき、上記従来の差動伝送方式に比較して伝送線の数を削減できる。【０００４】
【特許文献１】特開平１１−２３１９８４号公報。
【特許文献２】特開２００４−２８９６２６号公報。
【特許文献３】米国特許出願公開第２００３／００４３９２６号明細書。
【発明の開示】
【発明が解決しようとする課題】
【０００５】
しかしながら、従来技術に係るデータ伝送システムは、伝送線の本数をさらに削減できず、プリント基板上の配線領域をさらに削減できないという課題があった。【０００６】
本発明の目的は以上の問題点を解決し、従来技術に比較して伝送線の本数を削減できる信号送信装置、信号受信装置、及び上記信号送信装置及び信号受信装置を備えた信号伝送システム並びにその信号送信方法及び信号受信方法を提供することにある。
【課題を解決するための手段】
【０００７】
第１の発明に係る信号送信装置は、所定の周期を有する第１のクロック信号に同期して発生される３個以上の複数Ｎ個の伝送信号を、複数Ｎ本の伝送線を含む伝送線路を介して送信する信号送信装置であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力する移相手段と、
上記第１乃至第Ｎの移相後信号の反転信号をそれぞれ発生して出力する複数Ｎ個の反転手段と、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信する複数Ｎ個の符号化送信手段とを備えたことを特徴とする。【０００８】
第２の発明に係る信号受信装置は、上記の信号送信装置によって送信された複数Ｎ個の合成伝送信号を、複数Ｎ本の伝送線を含む伝送線路を介してそれぞれ受信する信号受信装置であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生する受信手段と、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化手段とを備えたことを特徴とする。【０００９】
上記の信号送信装置において、上記復号化手段は、上記各伝送信号の復号化信号を一時的に記憶するレジスタ手段を備え、
上記復号化手段は、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力することを特徴とする。【００１０】
第３の発明に係る信号伝送システムは、上記の信号送信装置と、上記の信号受信装置と、上記信号送信装置と上記信号受信装置とを接続する複数Ｎ本の伝送線を含む伝送線路とを備えたことを特徴とする。【００１１】
第４の発明に係る信号送信方法は、所定の周期を有する第１のクロック信号に同期して発生される３個以上の複数Ｎ個の伝送信号を、複数Ｎ本の伝送線を含む伝送線路を介して送信する信号送信方法であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力するステップと、
上記第１乃至第Ｎの移相後信号の反転信号をそれぞれ発生して出力するステップと、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信するステップとを含むことを特徴とする。【００１２】
第５の発明に係る信号受信方法は、上記の信号送信方法によって送信された複数Ｎ個の合成伝送信号を、複数Ｎ本の伝送線を含む伝送線路を介してそれぞれ受信する信号受信方法であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生するステップと、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化ステップとを含むことを特徴とする。【００１３】
上記の信号受信方法において、上記復号化ステップは、上記各伝送信号の復号化信号を一時的に記憶するステップを含み、
上記復号化ステップは、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力するステップをさらに含むことを特徴とする。
【発明の効果】
【００１４】
本発明に係る信号送信装置又は信号送信方法によれば、所定の周期を有する第１のクロック信号に同期して発生される３個以上の複数Ｎ個の伝送信号を、複数Ｎ個の合成伝送信号に符号化した後、複数Ｎ個の合成伝送信号を複数Ｎ本の伝送線を含む伝送線路を介してそれぞれ送信する。また、本発明に係る信号受信装置又は信号受信方法によれば、上記の複数Ｎ個の合成伝送信号を複数Ｎ本の伝送線を含む伝送線路を介してそれぞれ受信し、受信した合成伝送信号に基づいて、複数Ｎ個の伝送信号の復号化信号を検出する。さらに、本発明に係る信号伝送システムによれば、上記の信号送信装置と、上記の信号受信装置と、上記信号送信装置と上記信号受信装置とを接続する複数Ｎ本の伝送線を含む伝送線路とを備える。【００１５】
従って、本発明に係る信号送信装置及び方法、信号受信装置及び方法並びに信号伝送システムによれば、Ｎ個の伝送信号をＮ本の伝送線を用いて伝送できる。例えば、従来技術に係るデータ伝送システムでは４個の伝送信号を５本の伝送線を用いて伝送したが、本発明によれば４個の伝送信号を４本の伝送線を用いて伝送でき、上記従来技術に係るデータ伝送システムに比較して伝送線の数を削減できる。
【図面の簡単な説明】
【００１６】
【図１】本発明の実施形態に係る、信号送信装置１００及び信号受信装置２００を備えた信号伝送システムの概略構成を示すブロック図である。
【図２】図１の信号受信装置２００の概略構成を示すブロック図である。
【図３】図３（ａ）は、図１の信号発生器１０１からバッファ１１１を介して信号送信装置１００の入力端子Ｔ１に出力される伝送信号Ｓ１の信号電圧を示す波形図であり、図３（ｂ）は、図１の信号発生器１０２からバッファ１１２を介して信号送信装置１００の入力端子Ｔ２に出力される伝送信号Ｓ２の信号電圧を示す波形図であり、図３（ｃ）は、図１の信号発生器１０３からバッファ１１３を介して信号送信装置１００の入力端子Ｔ３に出力される伝送信号Ｓ３の信号電圧を示す波形図である。
【図４】図４（ａ）は、図１の差動ドライバアンプ２１の非反転出力端子からの非反転信号Ｓ１１の信号電圧を示す波形図及び差動ドライバアンプ２１の反転出力端子からの反転信号Ｓ１２の信号電圧を示す波形図であり、図４（ｂ）は、図１の差動ドライバアンプ２２の非反転出力端子からの非反転信号Ｓ１３の信号電圧を示す波形図及び差動ドライバアンプ２２の反転出力端子からの反転信号Ｓ１４の信号電圧を示す波形図であり、図４（ｃ）は、図１の差動ドライバアンプ２３の非反転出力端子からの非反転信号Ｓ１５の信号電圧を示す波形図及び差動ドライバアンプ２３の反転出力端子からの反転信号Ｓ１６の信号電圧を示す波形図である。
【図５】図５（ａ）は、図１の信号送信装置１００の出力端子Ｔ１１を介して伝送線３１に出力される合成伝送信号Ｓ２１の入力端子Ｔ２１における信号電圧を示す波形図であり、図５（ｂ）は、図１の信号送信装置１００の出力端子Ｔ１２を介して伝送線３２に出力される信号Ｓ２２の入力端子Ｔ２２における信号電圧を示す波形図であり、図５（ｃ）は、図１の信号送信装置１００の出力端子Ｔ１３を介して伝送線３３に出力される合成伝送信号Ｓ２３の入力端子Ｔ２３における信号電圧を示す波形図である。
【図６】図６（ａ）は、図２の加算器４７からの受信信号Ｓ３１の信号電圧を示す波形図であり、図６（ｂ）は、図２の加算器４８からの受信信号Ｓ３２の信号電圧を示す波形図であり、図６（ｃ）は、図２の加算器４９からの受信信号Ｓ３３の信号電圧を示す波形図である。
【図７】図２の信号受信装置２００の動作の一例を示すタイミングチャートである。
【図８】図３（ａ）の伝送信号Ｓ１、図３（ｂ）の伝送信号Ｓ２及び図３（ｃ）の伝送信号Ｓ３でそれぞれ伝送される送信データＤ１、Ｄ２及びＤ３と、図６（ａ）の受信信号Ｓ３１、図６（ｂ）の受信信号Ｓ３２及び図６（ｃ）の受信信号Ｓ３３からそれぞれ所定のタイミングで検出された信号電圧と、図２の信号受信装置２００の出力端子Ｔ３１から出力される復号化信号Ｓ４１の信号電圧レベルと、図２の信号受信装置２００の出力端子Ｔ３２から出力される復号化信号Ｓ４２の信号電圧レベルと、図２の信号受信装置２００の出力端子Ｔ３３から出力される復号化信号Ｓ４３の信号電圧レベルとを示すテーブルの一例を示す図である。
【符号の説明】
【００１７】
１０…移相回路、
１２，１３…移相器、
２１〜２３…差動ドライバアンプ、
３０…伝送線路、
３１〜３３…伝送線、
３４…クロック信号線、
４１〜４３…抵抗、
４４〜４６…差動増幅器、
４７〜４９…加算器、
５１〜５６…コンパレータ、
５７〜５９…ナンドゲート、
６１〜６３…アンドゲート、
６４〜６６…スイッチ、
６７〜６９…レジスタ、
８１…逓倍器、
８２…ワンショットマルチバイブレータ、
８３，８４…遅延器、
１００…信号送信装置、
１０１〜１０３…信号発生器、
１１１〜１１３…バッファ、
１５１…クロック信号発生器、
２００…信号受信装置、
２０１…受信回路、
２０２…復号化回路、
５１ａ〜５６ａ…基準電圧源、
Ｔ１〜Ｔ３，Ｔ２１〜Ｔ２４…入力端子、
Ｔ１１〜Ｔ１３，Ｔ３１〜Ｔ３３…出力端子。
【発明を実施するための最良の形態】
【００１８】
以下、本発明に係る実施形態について図面を参照して説明する。なお、以下の実施形態において、同様の構成要素については同一の符号を付している。【００１９】
図１は、本発明の実施形態に係る、信号送信装置１００及び信号受信装置２００を備えた信号伝送システムの概略構成を示すブロック図である。図１において、本発明の実施形態に係る信号伝送システムは、信号発生器１０１乃至１０３と、バッファ１１１乃至１１３と、信号送信装置１００と、３本の伝送線３１乃至３３を含む伝送線路３０と、信号受信装置２００と、クロック信号発生器１５１とを備えて構成される。【００２０】
ここで、信号送信装置１００は、移相器１２及び１３を含む移相回路１０と、差動ドライバアンプ２１乃至２３と、入力端子Ｔ１乃至Ｔ３と、出力端子Ｔ１１乃至Ｔ１３とを備えて構成される。移相器１２は、入力される信号を１２０度だけ移相させて、移相後信号として差動ドライバアンプ２２に出力し、移相器１３は、入力される信号を２４０度だけ移相させて、移相後信号として差動ドライバアンプ２３に出力する。また、差動ドライバアンプ２１の非反転出力端子は差動ドライバアンプ２３の反転出力端子に接続され、差動ドライバアンプ２２の非反転出力端子は差動ドライバアンプ２１の反転出力端子に接続され、差動ドライバアンプ２３の非反転出力端子は差動ドライバアンプ２２の反転出力端子に接続される。ここで、差動ドライバアンプ２１乃至２３はそれぞれ、１Ｖの出力電圧を出力する電源によって、それぞれ駆動される。【００２１】
また、信号受信装置２００は、入力端子Ｔ２１乃至Ｔ２４と、出力端子Ｔ３１乃至Ｔ３３とを備えて構成される。なお、信号受信装置２００の構成については、図２を参照して詳細後述する。【００２２】
図１において、クロック信号発生器１５１は、所定の周期Δｔ１で周期的に繰り返すパルス形状を有するクロック信号ＣＬを発生して、信号発生器１０１乃至１０３及び移相器１２及び１３に出力する。さらに、クロック信号ＣＬは、クロック信号線３４及び入力端子Ｔ２４を介して信号受信装置２００に入力される。【００２３】
また、信号発生器１０１は、クロック信号ＣＬの立ち下がりエッジの各タイミングにおいて、データ値「０」を有する１ビットの送信データＤ１に基づいて、例えば１Ｖの信号電圧を有する伝送信号Ｓ１を発生する一方、データ値「１」を有する１ビットの送信データＤ１に基づいて、例えば−１Ｖの信号電圧を有する伝送信号Ｓ１を発生して、バッファ１１１及び入力端子Ｔ１を介して差動ドライバアンプ２１に出力する。これにより、信号発生器１０１は、１ビットの送信データＤ１に基づいて、２値のバイポーラ信号である送信信号Ｓ１を発生する。さらに、差動ドライバアンプ２１からの非反転信号Ｓ１１と、差動ドライバアンプ２３からの反転信号Ｓ１６とは合成されて、合成結果の合成伝送信号Ｓ２１は出力端子Ｔ１１、伝送線３１及び入力端子Ｔ２１を介して信号受信装置２００に入力される。【００２４】
信号発生器１０２は、クロック信号ＣＬの立ち下がりエッジの各タイミングにおいて、データ値「０」を有する１ビットの送信データＤ２に基づいて、例えば１Ｖの信号電圧を有する伝送信号Ｓ２を発生する一方、データ値「１」を有する１ビットの送信データＤ２に基づいて、例えば−１Ｖの信号電圧を有する伝送信号Ｓ２を発生して、バッファ１１２及び入力端子Ｔ２を介して移相器１２に出力する。これにより、信号発生器１０２は、１ビットの送信データＤ２に基づいて、２値のバイポーラ信号である送信信号Ｓ２を発生する。移相器１２は、入力される伝送信号Ｓ２を１２０度だけ移相させて、差動ドライバアンプ２２に伝送信号Ｓ２の移相後信号として出力する。さらに、伝送信号Ｓ２の移相後信号である差動ドライバアンプ２２からの非反転信号Ｓ１３と、伝送信号Ｓ１の移相後信号の反転信号である差動ドライバアンプ２１からの反転信号Ｓ１２とは合成されて、合成結果の合成伝送信号Ｓ２２は出力端子Ｔ１２、伝送線３２及び入力端子Ｔ２２を介して信号受信装置２００に入力される。【００２５】
信号発生器１０３は、クロック信号ＣＬの立ち下がりエッジの各タイミングにおいて、データ値「０」を有する１ビットの送信データＤ３に基づいて、例えば１Ｖの信号電圧を有する伝送信号Ｓ３を発生する一方、データ値「１」を有する１ビットの送信データＤ３に基づいて、例えば−１Ｖの信号電圧を有する伝送信号Ｓ３を発生して、バッファ１１３及び入力端子Ｔ３を介して移相器１３に出力する。これにより、信号発生器１０３は、１ビットの送信データＤ３に基づいて、２値のバイポーラ信号である送信信号Ｓ３を発生する。移相器１３は、入力される伝送信号Ｓ３を２４０度だけ移相させて、差動ドライバアンプ２３に伝送信号Ｓ３の移相後信号として出力する。さらに、伝送信号Ｓ３の移相後信号である差動ドライバアンプ２３からの非反転信号Ｓ１５と、伝送信号Ｓ２の移相後信号の反転信号である差動ドライバアンプ２２からの反転信号Ｓ１４とは合成されて、合成結果の合成伝送信号Ｓ２３は出力端子Ｔ１３、伝送線３３及び入力端子Ｔ２３を介して信号受信装置２００に入力される。【００２６】
図２は、図１の信号受信装置２００の概略構成を示すブロック図である。図２において、信号受信装置２００は、逓倍器８１と、ワンショットマルチバイブレータ８２と、遅延器８３及び８４と、受信回路２０１と、復号化回路２０２と、入力端子Ｔ２１乃至Ｔ２４と、出力端子Ｔ３１乃至Ｔ３３とを備えて構成される。ここで、受信回路２０１は、抵抗４１乃至４３と、差動増幅器４４乃至４６と、加算器４７乃至４９とを備えて構成される。また、復号化回路２０２は、コンパレータ５１乃至５６と、基準電圧源５１ａ乃至５６ａと、ナンドゲート５７乃至５９と、アンドゲート６１乃至６３と、スイッチ６４乃至６６と、レジスタ６７乃至６９とを備えて構成される。【００２７】
ここで、抵抗４１は入力端子Ｔ２１と入力端子Ｔ２２との間に接続され、抵抗４２は入力端子Ｔ２２と入力端子Ｔ２３との間に接続され、抵抗４３は、入力端子Ｔ２３と入力端子Ｔ２１との間に接続される。また、基準電圧源５１ａ，５３ａ及び５５ａは、所定の基準電圧Ｖｒｅｆをそれぞれ発生して、コンパレータ５１，５３及び５５の各反転入力端子にそれぞれ出力する。さらに、基準電圧源５２ａ，５４ａ及び５６ａは、所定の基準電圧−Ｖｒｅｆをそれぞれ発生して、コンパレータ５２，５４及び５６の各反転入力端子にそれぞれ出力する。ここで、基準電圧Ｖｒｅｆは０Ｖよりも大きく、かつ、例えば２Ｖ未満の電圧値であり、好ましくは０．７Ｖである。【００２８】
図２において、逓倍器８１は、入力端子Ｔ２４を介して入力されるクロック信号ＣＬの周波数１／Δｔ１を３逓倍して、所定の周期Δｔ３（Δｔ３＝Δｔ１／３である。）で周期的に繰り返すパルス形状を有するクロック信号ＣＬ３を発生して、ワンショットマルチバイブレータ８２に出力する。ワンショットマルチバイブレータ８２は、入力されるクロック信号ＣＬ３の立ち下がりエッジの各タイミングで、パルス長がΔｔ４（Δｔ４＝Δｔ１／２＝３×Δｔ３／２である。）であるローレベルのパルス信号を発生することにより、所定の周期Δｔ１で周期的に繰り返し、ハイレベルの時間期間とローレベルの時間期間とが等しい時間期間Δｔ４を有するパルス形状を有するクロック信号ＣＬ３１を発生して、遅延器８３と、コンパレータ５１及び５２と、レジスタ６９とに出力する。さらに、遅延器８３は、入力されるクロック信号ＣＬ３１を遅延時間Δｔ３だけ遅延させてクロック信号ＣＬ３２を発生して、遅延器８４と、コンパレータ５３及び５４と、レジスタ６７とに出力する。またさらに、遅延器８４は、入力されるクロック信号ＣＬ３２を遅延時間Δｔ３だけ遅延させてクロック信号ＣＬ３３を発生して、コンパレータ５５及び５６と、レジスタ６８とに出力する。【００２９】
図２において、合成伝送信号Ｓ２１は、入力端子Ｔ２１を介して、差動増幅器４４の非反転入力端子と、加算器４８と、差動増幅器４６の反転入力端子に入力される。また、信号Ｓ２２は、入力端子Ｔ２２を介して、差動増幅器４５の非反転入力端子と、加算器４９と、差動増幅器４４の反転入力端子に入力される。さらに、合成伝送信号Ｓ２３は、入力端子Ｔ２３を介して、差動増幅器４６の非反転入力端子と、加算器４７と、差動増幅器４５の反転入力端子に入力される。【００３０】
加算器４７は、差動増幅器４４からの出力信号と入力端子Ｔ２３からの合成伝送信号Ｓ２３とを加算して、加算結果の信号を受信信号Ｓ３１として、コンパレータ５１の非反転入力端子及びコンパレータ５２の非反転入力端子に出力する。コンパレータ５１は、クロック信号ＣＬ３１の立ち下がりエッジの各タイミングで受信信号Ｓ３１の信号電圧と基準電圧Ｖｒｅｆとを比較し、受信信号Ｓ３１の信号電圧が基準電圧Ｖｒｅｆ以上であるときにはハイレベルの出力信号を発生してナンドゲート５７の第１の入力端子に出力する一方、受信信号Ｓ３１の信号電圧が基準電圧Ｖｒｅｆ未満であるときにはローレベルの出力信号を発生してナンドゲート５７の第１の入力端子に出力する。また、コンパレータ５２は、クロック信号ＣＬ３１の立ち下がりエッジの各タイミングで受信信号Ｓ３１の信号電圧と基準電圧−Ｖｒｅｆとを比較し、受信信号Ｓ３１の信号電圧が基準電圧−Ｖｒｅｆ以上であるときにはハイレベルの出力信号を発生してナンドゲート５７の第２の入力端子及びアンドゲート６１の第１の入力端子に出力する一方、受信信号Ｓ３１の信号電圧が基準電圧−Ｖｒｅｆ未満であるときにはローレベルの出力信号を発生してナンドゲート５７の第２の入力端子及びアンドゲート６１の第１の入力端子に出力する。【００３１】
さらに、ナンドゲート５７からの出力信号は、アンドゲート６１の第２の入力端子に出力される。また、ナンドゲート５７からの出力信号は、スイッチ６４の接点ａを介して復号化信号Ｓ４１として出力端子Ｔ３１に出力されるとともに、スイッチ６４の接点ａを介してクロック信号ＣＬ３１の立ち下がりエッジの各タイミングでレジスタ６９に出力される。レジスタ６９は、入力される復号化信号Ｓ４１を一時的に記憶し、スイッチ６６の接点ｂ側に出力する。また、アンドゲート６１からの出力信号は、スイッチ６４の制御端子に出力される。ここで、スイッチ６４は、アンドゲート６１からのローレベルの出力信号に応答して接点ａ側に切り換えられる一方、アンドゲート６１からのハイレベルの出力信号に応答して接点ｂ側に切り換えられる。レジスタ６７からの出力信号は、スイッチ６４の接点ｂを介して復号化信号Ｓ４１として出力端子Ｔ３１に出力されるとともに、スイッチ６４の接点ｂを介してクロック信号ＣＬ３１の立ち下がりエッジの各タイミングでレジスタ６９に出力される。【００３２】
加算器４８は、差動増幅器４５からの出力信号と入力端子Ｔ２１からの合成伝送信号Ｓ２１とを加算して、加算結果の信号を、受信信号Ｓ３２としてコンパレータ５３の非反転入力端子及びコンパレータ５４の非反転入力端子に出力する。コンパレータ５３は、クロック信号ＣＬ３２の立ち下がりエッジの各タイミングで受信信号Ｓ３２の信号電圧と基準電圧Ｖｒｅｆとを比較し、受信信号Ｓ３２の信号電圧が基準電圧Ｖｒｅｆ以上であるときにはハイレベルの出力信号を発生してナンドゲート５８の第１の入力端子に出力する一方、受信信号Ｓ３２の信号電圧が基準電圧Ｖｒｅｆ未満であるときにはローレベルの出力信号を発生してナンドゲート５８の第１の入力端子に出力する。また、コンパレータ５４は、クロック信号ＣＬ３２の立ち下がりエッジの各タイミングで受信信号Ｓ３２の信号電圧と基準電圧−Ｖｒｅｆとを比較し、受信信号Ｓ３２の信号電圧が基準電圧−Ｖｒｅｆ以上であるときにはハイレベルの出力信号を発生してナンドゲート５８の第２の入力端子及びアンドゲート６２の第１の入力端子に出力する一方、受信信号Ｓ３２の信号電圧が基準電圧−Ｖｒｅｆ未満であるときにはローレベルの出力信号を発生してナンドゲート５８の第２の入力端子及びアンドゲート６２の第１の入力端子に出力する。【００３３】
さらに、ナンドゲート５８からの出力信号は、アンドゲート６２の第２の入力端子に出力される。また、ナンドゲート５８からの出力信号は、スイッチ６５の接点ａを介して復号化信号Ｓ４２として出力端子Ｔ３２に出力されるとともに、スイッチ６５の接点ａを介してクロック信号ＣＬ３２の立ち下がりエッジの各タイミングでレジスタ６７に出力される。レジスタ６７は、入力される復号化信号Ｓ４２を一時的に記憶し、スイッチ６５の接点ｂ側に出力する。また、アンドゲート６２からの出力信号は、スイッチ６５の制御端子に出力される。ここで、スイッチ６５は、アンドゲート６２からのローレベルの出力信号に応答して接点ａ側に切り換えられる一方、アンドゲート６２からのハイレベルの出力信号に応答して接点ｂ側に切り換えられる。レジスタ６８からの出力信号は、スイッチ６５の接点ｂを介して復号化信号Ｓ４２として出力端子Ｔ３２に出力されるとともに、スイッチ６５の接点ｂを介してクロック信号ＣＬ３２の立ち下がりエッジの各タイミングでレジスタ６７に出力される。【００３４】
加算器４９は、差動増幅器４６からの出力信号と入力端子Ｔ２２からの合成伝送信号Ｓ２２とを加算して、加算結果の信号を、受信信号Ｓ３３としてコンパレータ５５の非反転入力端子及びコンパレータ５６の非反転入力端子に出力する。コンパレータ５５は、クロック信号ＣＬ３３の立ち下がりエッジの各タイミングで受信信号Ｓ３３の信号電圧と基準電圧Ｖｒｅｆとを比較し、受信信号Ｓ３３の信号電圧が基準電圧Ｖｒｅｆ以上であるときにはハイレベルの出力信号を発生してナンドゲート５９の第１の入力端子に出力する一方、受信信号Ｓ３３の信号電圧が基準電圧Ｖｒｅｆ未満であるときにはローレベルの出力信号を発生してナンドゲート５９の第１の入力端子に出力する。また、コンパレータ５６は、クロック信号ＣＬ３３の立ち下がりエッジの各タイミングで受信信号Ｓ３３の信号電圧と基準電圧−Ｖｒｅｆとを比較し、受信信号Ｓ３３の信号電圧が基準電圧−Ｖｒｅｆ以上であるときにはハイレベルの出力信号を発生してナンドゲート５９の第２の入力端子及びアンドゲート６３の第１の入力端子に出力する一方、受信信号Ｓ３３の信号電圧が基準電圧−Ｖｒｅｆ未満であるときにはローレベルの出力信号を発生してナンドゲート５９の第２の入力端子及びアンドゲート６３の第１の入力端子に出力する。【００３５】
さらに、ナンドゲート５９からの出力信号は、アンドゲート６３の第２の入力端子に出力される。また、ナンドゲート５９からの出力信号は、スイッチ６６の接点ａを介して復号化信号Ｓ４３として出力端子Ｔ３３に出力されるとともに、スイッチ６６の接点ａを介してクロック信号ＣＬ３３の立ち下がりエッジの各タイミングでレジスタ６８に出力される。レジスタ６８は、入力される復号化信号Ｓ４３を一時的に記憶し、スイッチ６５の接点ｂ側に出力する。また、アンドゲート６３からの出力信号は、スイッチ６６の制御端子に出力される。ここで、スイッチ６６は、アンドゲート６３からのローレベルの出力信号に応答して接点ａ側に切り換えられる一方、アンドゲート６３からのハイレベルの出力信号に応答して接点ｂ側に切り換えられる。レジスタ６９からの出力信号は、スイッチ６６の接点ｂを介して復号化信号Ｓ４３として出力端子Ｔ３３に出力されるとともに、スイッチ６６の接点ｂを介してクロック信号ＣＬ３３の立ち下がりエッジの各タイミングでレジスタ６８に出力される。【００３６】
上述のように、受信回路２０１は、３個の合成伝送信号Ｓ２１乃至Ｓ２３のうちの各３個の合成伝送信号に基づいて、上記３個の合成伝送信号Ｓ２１乃至Ｓ２３のうちの第１の合成伝送信号と第２の合成伝送信号の反転信号と第３の合成伝送信号とを合成することにより１個の受信信号を生成しかつ当該合成をすべての各３個の合成伝送信号Ｓ２１乃至Ｓ２３について実行することにより、３個の受信信号Ｓ３１乃至Ｓ３３を発生することを特徴とする。また、復号化回路２０２は、クロック信号ＣＬの周期Δｔ１の１／３の周期Δｔ３を有するクロック信号ＣＬ３に基づく互いに異なるタイミングで、各受信信号Ｓ３１乃至Ｓ３３の信号レベルをそれぞれ検出し、当該検出した各受信信号Ｓ３１乃至Ｓ３３の信号レベルに基づいて、各伝送信号Ｓ１乃至Ｓ３の復号化信号Ｓ４１乃至Ｓ４３をそれぞれ検出して出力することを特徴とする。ここで、復号化回路２０２は、復号化信号Ｓ４１，Ｓ４２及びＳ４３を一時的にそれぞれ記憶するレジスタ６９，６７及び６８を備え、各受信信号Ｓ３１乃至Ｓ３３を基準電圧Ｖｒｅｆと比較するとともに、各受信信号Ｓ３１乃至Ｓ３３を基準電圧−Ｖｒｅｆと比較し、各受信信号Ｓ３１乃至Ｓ３３が基準電圧Ｖｒｅｆ以上であるときローレベルの復号化信号を出力し、各受信信号Ｓ３１乃至Ｓ３３が基準電圧−Ｖｒｅｆ未満であるときハイレベルの復号化信号を出力し、各受信信号Ｓ３１乃至Ｓ３３が基準電圧Ｖｒｅｆ未満でかつ基準電圧−Ｖｒｅｆ以上であるとき、現在の処理タイミングよりも１つ前の処理タイミングで各レジスタ６７乃至６９に記憶された、当該処理すべき受信信号から所定の一方向で隣接する受信信号に関する復号化信号を出力する。【００３７】
図３乃至図８を参照して、以上のように構成された信号伝送システムの動作を、データ値「００００１１１１」を有する送信データＤ１と、データ値「００１１００１１」を有する送信データＤ２と、データ値「０１０１０１０１」を有する送信データＤ３とを伝送する場合について説明する。【００３８】
図３（ａ）は、図１の信号発生器１０１からバッファ１１１を介して信号送信装置１００の入力端子Ｔ１に出力される伝送信号Ｓ１の信号電圧を示す波形図であり、図３（ｂ）は、図１の信号発生器１０２からバッファ１１２を介して信号送信装置１００の入力端子Ｔ２に出力される伝送信号Ｓ２の信号電圧を示す波形図であり、図３（ｃ）は、図１の信号発生器１０３からバッファ１１３を介して信号送信装置１００の入力端子Ｔ３に出力される伝送信号Ｓ３の信号電圧を示す波形図である。図３（ａ）に示すように、信号発生器１０１は、データ値「００００１１１１」を有する送信データＤ１に基づいて、伝送信号Ｓ１を発生して、バッファ１１１及び入力端子Ｔ１を介して差動ドライバアンプ２１に出力する。また、図３（ｂ）に示すように、信号発生器１０２は、データ値「００１１００１１」を有する送信データＤ２に基づいて、伝送信号Ｓ２を発生して、バッファ１１２を介して移相器１２に出力する。さらに、図３（ｃ）に示すように、信号発生器１０３は、データ値「０１０１０１０１」を有する伝送データＤ３に基づいて、伝送信号Ｓ３を発生して、バッファ１１３及び入力端子Ｔ３を介して移相器１３に出力する。【００３９】
また、図４（ａ）は、図１の差動ドライバアンプ２１の非反転出力端子からの非反転信号Ｓ１１の信号電圧を示す波形図及び差動ドライバアンプ２１の反転出力端子からの反転信号Ｓ１２の信号電圧を示す波形図であり、図４（ｂ）は、図１の差動ドライバアンプ２２の非反転出力端子からの非反転信号Ｓ１３の信号電圧を示す波形図及び差動ドライバアンプ２２の反転出力端子からの反転信号Ｓ１４の信号電圧を示す波形図であり、図４（ｃ）は、図１の差動ドライバアンプ２３の非反転出力端子からの非反転信号Ｓ１５の信号電圧を示す波形図及び差動ドライバアンプ２３の反転出力端子からの反転信号Ｓ１６の信号電圧を示す波形図である。さらに、図５（ａ）は、図１の信号送信装置１００の出力端子Ｔ１１を介して伝送線３１に出力される合成伝送信号Ｓ２１の入力端子Ｔ２１における信号電圧を示す波形図であり、図５（ｂ）は、図１の信号送信装置１００の出力端子Ｔ１２を介して伝送線３２に出力される合成伝送信号Ｓ２２の入力端子Ｔ２２における信号電圧を示す波形図であり、図５（ｃ）は、図１の信号送信装置１００の出力端子Ｔ１３を介して伝送線３３に出力される合成伝送信号Ｓ２３の入力端子Ｔ２３における信号電圧を示す波形図である。【００４０】
図３乃至図５に示すように、伝送信号Ｓ１の非反転信号Ｓ１１と、移相器１３によって２４０度だけ移相された伝送信号Ｓ３の反転信号Ｓ１６とは合成され、合成結果の合成伝送信号Ｓ２１は、出力端子Ｔ１１、伝送線３１及び入力端子Ｔ２１を介して信号受信装置２００に伝送される。また、移相器１２によって１２０度だけ移相された伝送信号Ｓ２の非反転信号Ｓ１３と、伝送信号Ｓ１の反転信号Ｓ１２とは合成され、合成結果の合成伝送信号Ｓ２２は、出力端子Ｔ１２、伝送線３２及び入力端子Ｔ２２を介して信号受信装置２００に伝送される。さらに、移相器１３によって２４０度だけ移相された伝送信号Ｓ３の非反転信号Ｓ１５と、移相器１２によって１２０度だけ移相された伝送信号Ｓ２の反転信号Ｓ１４とは合成され、合成結果の合成伝送信号Ｓ２３は、出力端子Ｔ１３、伝送線３３及び入力端子Ｔ２３を介して信号受信装置２００に伝送される。なお、図５（ａ）、図５（ｂ）及び図５（ｃ）において、伝送線３１乃至３３での損失により、合成伝送信号Ｓ３１乃至Ｓ３３の入力端子Ｔ２１乃至Ｔ２３における各信号電圧は、出力端子Ｔ１１乃至Ｔ１３における各信号電圧の半分の値をそれぞれ有する。【００４１】
図６（ａ）は、図２の加算器４７からの受信信号Ｓ３１の信号電圧を示す波形図であり、図６（ｂ）は、図２の加算器４８からの受信信号Ｓ３２の信号電圧を示す波形図であり、図６（ｃ）は、図２の加算器４９からの受信信号Ｓ３３の信号電圧を示す波形図である。図６に示すように、加算器４７は、合成伝送信号Ｓ２１から合成伝送信号Ｓ２２を減算した信号と合成伝送信号Ｓ２３とを加算して、加算結果の信号を、受信信号Ｓ３１としてコンパレータ５１の非反転入力端子及びコンパレータ５２の非反転入力端子に出力する。また、加算器４８は、合成伝送信号Ｓ２２から合成伝送信号Ｓ２３を減算した信号と合成伝送信号Ｓ２１とを加算して、加算結果の信号を、受信信号Ｓ３２としてコンパレータ５３の非反転入力端子及びコンパレータ５４の非反転入力端子に出力する。さらに、加算器４９は、合成伝送信号Ｓ２３から合成伝送信号Ｓ２１を減算した信号と合成伝送信号Ｓ２２とを加算して、加算結果の信号を、受信信号Ｓ３３としてコンパレータ５５の非反転入力端子及びコンパレータ５６の非反転入力端子に出力する。【００４２】
図７は、図２の信号受信装置２００の動作の一例を示すタイミングチャートである。また、図８は、図３（ａ）の伝送信号Ｓ１、図３（ｂ）の伝送信号Ｓ２の及び図３（ｃ）の伝送信号Ｓ３でそれぞれ伝送される送信データＤ１、Ｄ２及びＤ３と、図６（ａ）の受信信号Ｓ３１、図６（ｂ）の受信信号Ｓ３２及び図６（ｃ）の受信信号Ｓ３３からそれぞれ所定のタイミングで検出された信号電圧と、図２の信号受信装置２００の出力端子Ｔ３１から出力される復号化信号Ｓ４１の信号電圧レベルと、図２の信号受信装置２００の出力端子Ｔ３２から出力される復号化信号Ｓ４２の信号電圧レベルと、及び図２の信号受信装置２００の出力端子Ｔ３３から出力される復号化信号Ｓ４３の信号電圧レベルとを示すテーブルの一例を示す図である。ここで、基準電圧源５１ａ，５３ａ及び５５ａによってそれぞれ発生される基準電圧Ｖｒｅｆを０．７Ｖとし、基準電圧源５２ａ，５４ａ及び５６ａによってそれぞれ発生される基準電圧−Ｖｒｅｆを−０．７Ｖとする。【００４３】
図７において、タイミングｔ１で、コンパレータ５１は、受信信号Ｓ３１の信号電圧（１Ｖである。）と基準電圧Ｖｒｅｆとを比較し、ハイレベルの出力信号を発生してナンドゲート５７の第１の入力端子に出力する。また、タイミングｔ１で、コンパレータ５２は、受信信号Ｓ３１の信号電圧と基準電圧−Ｖｒｅｆとを比較し、ハイレベルの出力信号を発生してナンドゲート５７の第２の入力端子及びアンドゲート６１の第１の入力端子に出力する。さらに、ナンドゲート５７からのローレベルの出力信号は、アンドゲート６１の第２の入力端子に出力される。次いで、アンドゲート６１からのローレベルの出力信号に応答して、スイッチ６４は接点ａ側に切り換えられ、ナンドゲート５７からのローレベルの出力信号は、スイッチ６４の接点ａを介して、ローレベルの復号化信号Ｓ４１として出力端子Ｔ３１に出力されるとともに、タイミングｔ１でレジスタ６９に出力される。【００４４】
タイミングｔ２で、コンパレータ５３は、受信信号Ｓ３２の信号電圧（１Ｖである。）と基準電圧Ｖｒｅｆとを比較し、ハイレベルの出力信号を発生してナンドゲート５８の第１の入力端子に出力する。また、タイミングｔ２で、コンパレータ５４は、受信信号Ｓ３２の信号電圧と基準電圧−Ｖｒｅｆとを比較し、ハイレベルの出力信号を発生してナンドゲート５８の第２の入力端子及びアンドゲート６２の第１の入力端子に出力する。さらに、ナンドゲート５８からのローレベルの出力信号は、アンドゲート６２の第２の入力端子に出力される。次いで、アンドゲート６２からのローレベルの出力信号に応答して、スイッチ６５は接点ａ側に切り換えられ、ナンドゲート５８からのローレベルの出力信号は、スイッチ６５の接点ａを介して、ローレベルの復号化信号Ｓ４２として出力端子Ｔ３２に出力されるとともに、タイミングｔ２でレジスタ６７に出力される。【００４５】
タイミングｔ３で、コンパレータ５５は、受信信号Ｓ３３の信号電圧（０Ｖである。）と基準電圧Ｖｒｅｆとを比較し、ローレベルの出力信号を発生してナンドゲート５９の第１の入力端子に出力する。また、タイミングｔ３で、コンパレータ５６は、受信信号Ｓ３３の信号電圧と基準電圧−Ｖｒｅｆとを比較し、ハイレベルの出力信号を発生してナンドゲート５９の第２の入力端子及びアンドゲート６３の第１の入力端子に出力する。さらに、ナンドゲート５９からのハイレベルの出力信号は、アンドゲート６３の第２の入力端子に出力される。次いで、アンドゲート６３からのハイレベルの出力信号に応答して、スイッチ６６は接点ｂ側に切り換えられ、タイミングｔ１でレジスタ６９に記憶されたローレベルの信号は、スイッチ６５の接点ｂを介して、ローレベルの復号化信号Ｓ４３として出力端子Ｔ３３に出力されるとともに、タイミングｔ３でレジスタ６８に出力される。【００４６】
タイミングｔ４で、コンパレータ５１は、受信信号Ｓ３１の信号電圧（０Ｖである。）と基準電圧Ｖｒｅｆとを比較し、ローレベルの出力信号を発生してナンドゲート５７の第１の入力端子に出力する。また、タイミングｔ４で、コンパレータ５２は、受信信号Ｓ３１の信号電圧と基準電圧−Ｖｒｅｆとを比較し、ハイレベルの出力信号を発生してナンドゲート５７の第２の入力端子及びアンドゲート６１の第１の入力端子に出力する。さらに、ナンドゲート５７からのハイレベルの出力信号は、アンドゲート６１の第２の入力端子に出力される。次いで、アンドゲート６１からのハイレベルの出力信号に応答して、スイッチ６４は接点ｂ側に切り換えられ、タイミングｔ２でレジスタ６７に記憶されたローレベルの信号は、スイッチ６４の接点ｂを介して、ローレベルの復号化信号Ｓ４１として出力端子Ｔ３１に出力されるとともに、タイミングｔ４でレジスタ６９に出力される。【００４７】
タイミングｔ５で、コンパレータ５３は、受信信号Ｓ３２の信号電圧（０Ｖである。）と基準電圧Ｖｒｅｆとを比較し、ローレベルの出力信号を発生してナンドゲート５８の第１の入力端子に出力する。また、タイミングｔ５で、コンパレータ５４は、受信信号Ｓ３２の信号電圧と基準電圧−Ｖｒｅｆとを比較し、ハイレベルの出力信号を発生してナンドゲート５８の第２の入力端子及びアンドゲート６２の第１の入力端子に出力する。さらに、ナンドゲート５８からのハイレベルの出力信号は、アンドゲート６２の第２の入力端子に出力される。次いで、アンドゲート６２からのハイレベルの出力信号に応答して、スイッチ６５は接点ｂ側に切り換えられ、タイミングｔ３でレジスタ６８に記憶されたローレベルの信号は、スイッチ６５の接点ｂを介して、ローレベルの復号化信号Ｓ４２として出力端子Ｔ３２に出力されるとともに、タイミングｔ５でレジスタ６７に出力される。【００４８】
タイミングｔ６で、コンパレータ５５は、受信信号Ｓ３３の信号電圧（−２Ｖである。）と基準電圧Ｖｒｅｆとを比較し、ローレベルの出力信号を発生してナンドゲート５９の第１の入力端子に出力する。また、タイミングｔ６で、コンパレータ５６は、受信信号Ｓ３３の信号電圧と基準電圧−Ｖｒｅｆとを比較し、ローレベルの出力信号を発生してナンドゲート５９の第２の入力端子及びアンドゲート６３の第１の入力端子に出力する。さらに、ナンドゲート５９からのハイレベルの出力信号は、アンドゲート６３の第２の入力端子に出力される。次いで、アンドゲート６３からのローレベルの出力信号に応答して、スイッチ６６は接点ａ側に切り換えられ、ナンドゲート５９からのハイレベルの出力信号は、スイッチ６６の接点ａを介して、ハイレベルの復号化信号Ｓ４３として出力端子Ｔ３３に出力されるとともに、タイミングｔ６でレジスタ６８に出力される。【００４９】
以下、上記の各タイミングｔ１乃至ｔ６と同様に、各タイミングｔ７，ｔ１０，ｔ１３，ｔ１６，ｔ１９，ｔ２２での受信信号Ｓ３１の各信号電圧と、各タイミングｔ８，ｔ１１，ｔ１４，ｔ１７，ｔ２０，ｔ２３での受信信号Ｓ３２の各信号電圧と、各タイミングｔ９，ｔ１２，ｔ１５，ｔ１８，ｔ２１，ｔ２４での受信信号Ｓ３３の各信号電圧とに基づいて、ローレベル又はハイレベルの各復号化信号Ｓ４１乃至Ｓ４３を発生する。【００５０】
以上詳述したように、本実施形態に係る信号送信装置によれば、３個の伝送信号Ｓ１乃至Ｓ３に基づいて３個の合成伝送信号Ｓ２１乃至Ｓ２３を発生して、３本の伝送線３１乃至３３にそれぞれ符号化出力する。また、本実施形態に係る信号受信装置によれば、３本の伝送線３１乃至３３を介してそれぞれ受信した合成伝送信号Ｓ２１乃至Ｓ２３に基づいて受信信号Ｓ３１乃至Ｓ３３を発生し、受信信号Ｓ３１乃至Ｓ３３に基づいて３個の伝送信号Ｓ１乃至Ｓ３の復号化信号Ｓ４１乃至Ｓ４３を検出する。さらに、本実施形態に係る信号伝送システムによれば、信号送信装置１００、信号受信装置２００及び信号送信装置１００と信号受信装置２００とを接続する伝送線路３０を備えた。従って、本発明に係る信号送信装置及び方法、信号受信装置及び方法並びに信号伝送システムによれば、３個の伝送信号を３本の伝送線を用いて伝送できる。従来、３個の伝送信号を伝送する場合、従来技術に係るデータ伝送システムを用いて２個の伝送信号を３本の伝送線を介して伝送し、従来の差動伝送方式を用いて残りの１個の伝送信号を２本の伝送線を介して伝送したので、合計５本の伝送線が必要だった。すなわち、本発明によれば、従来技術に比較して、伝送線の本数を削減できる。【００５１】
上記の実施形態において、クロック信号発生器１５１が発生したクロック信号ＣＬをクロック信号線３４を介して信号受信装置２００に伝送したが、本発明はこれに限らず、伝送線路３０を介して伝送される信号３１乃至３３に基づいてクロック信号ＣＬを再生して逓倍器８１に出力してもよい。【００５２】
また、上記の実施形態において、移相回路１０は移相器１２及び１３を備えたが、本発明はこれに限らず、上記各伝送信号Ｓ１乃至Ｓ３をそれぞれ、上記各伝送信号Ｓ１乃至Ｓ３の移相量が互いに２π／３だけ互いに異なるように所定の移相量だけ移相させることにより、移相後の３個の伝送信号を３個の移相後信号として、それぞれ各差動ドライバアンプ２１乃至２３に出力する移相回路であってもよい。【００５３】
さらに、上記の実施形態において、差動ドライバアンプ２１からの非反転信号Ｓ１１と差動ドライバアンプ２３からの反転信号Ｓ１６とを合成することにより合成伝送信号Ｓ２１を発生し、差動ドライバアンプ２２からの非反転信号Ｓ１３と差動ドライバアンプ２１からの反転信号Ｓ１２とを合成することにより合成伝送信号Ｓ２２を発生し、差動ドライバアンプ２３からの非反転信号Ｓ１５と差動ドライバアンプ２２からの反転信号Ｓ１４とを合成することにより合成伝送信号Ｓ２３を発生したが、本発明はこれに限られない。この場合、差動ドライバアンプ２１からの非反転信号Ｓ１１と差動ドライバアンプ２２からの反転信号Ｓ１４とを合成することにより合成伝送信号Ｓ２１を発生し、差動ドライバアンプ２２からの非反転信号Ｓ１３と差動ドライバアンプ２３からの反転信号Ｓ１６とを合成することにより合成伝送信号Ｓ２２を発生し、差動ドライバアンプ２３からの非反転信号Ｓ１５と差動ドライバアンプ２１からの反転信号Ｓ１２とを合成することにより合成伝送信号Ｓ２３を発生してもよい。このとき、信号受信装置２００の受信回路２０１において、合成伝送信号Ｓ２１を差動増幅器４４の非反転入力端子と差動増幅器４５の反転入力端子と加算器４９に出力し、合成伝送信号Ｓ２２を差動増幅器４５の非反転入力端子と差動増幅器４６の反転入力端子と加算器４７に出力し、合成伝送信号Ｓ２３を差動増幅器４６の非反転入力端子と差動増幅器４４の反転入力端子と加算器４８に出力すればよい。さらに、信号受信装置２００の復号化回路２０２において、レジスタ６７の出力端子とスイッチ６６の接点ｂとを接続し、レジスタ６８の出力端子とスイッチ６４の接点ｂとを接続し、レジスタ６９の出力端子とスイッチ６５の接点ｂとを接続すればよい。【００５４】
またさらに、上記の実施形態において、差動増幅器４４からの出力信号と合成伝送信号Ｓ２３とを加算することにより受信信号Ｓ３１を発生し、差動増幅器４５からの出力信号と合成伝送信号Ｓ２１とを加算することにより受信信号Ｓ３２を発生し、差動増幅器４６からの出力信号と合成伝送信号Ｓ２２とを加算することにより受信信号Ｓ３３を発生したが、本発明はこれに限られない。この場合、合成伝送信号Ｓ２１と合成伝送信号Ｓ２２の反転信号と合成伝送信号Ｓ２３とを合成することにより受信信号Ｓ３１を発生し、合成伝送信号Ｓ２２と合成伝送信号Ｓ２３の反転信号と合成伝送信号Ｓ２１とを合成することにより受信信号Ｓ３２を発生し、合成伝送信号Ｓ２３と合成伝送信号Ｓ２１の反転信号と合成伝送信号Ｓ２２とを合成することにより受信信号Ｓ３３を発生してもよい。【００５５】
また、上記の実施形態において、３個の伝送信号Ｓ１乃至Ｓ３を３本の伝送線３１乃至３３を含む伝送線路を介して伝送したが、本発明はこれに限らず、３個以上のＮ個の伝送信号をＮ本の伝送線を含む伝送線路を介して伝送してもよい。この場合、信号送信装置は、各伝送信号をそれぞれ、各伝送信号の移相量が互いに２π／Ｎだけ異なるように所定の移相量だけ移相させることにより、移相後のＮ個の伝送信号をＮ個の移相後信号として出力する移相手段と、第１乃至第Ｎの移相後信号の反転信号をそれぞれ発生して出力する複数Ｎ個の反転手段と、Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して各伝送線にそれぞれ送信する複数Ｎ個の符号化送信手段とを備えればよい。【００５６】
さらに、信号受信装置は、上記のＮ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生する受信手段と、上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化手段とを備えればよい。【００５７】
ここで、好ましくは、上記復号化手段は、上記各伝送信号の復号化信号を一時的に記憶するレジスタ手段を備え、上記復号化手段は、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力する。【００５８】
また、上記の実施形態において、信号受信装置２００は受信信号Ｓ３１乃至Ｓ３３の信号電圧に基づいて、伝送信号Ｓ１乃至Ｓ３の復号化信号Ｓ４１乃至Ｓ４３を検出したが、本発明はこれに限らず、受信信号Ｓ３１乃至Ｓ３３の信号レベルに基づいて、伝送信号Ｓ１乃至Ｓ３の復号化信号Ｓ４１乃至Ｓ４３を検出してもよい。【００５９】
さらに、上記の実施形態において、コンパレータ５１乃至５６と、基準電圧源５１ａ乃至５６ａと、ナンドゲート５７乃至５９と、アンドゲート６１乃至６３と、スイッチ６４乃至６６と、レジスタ６７乃至６９とを備えて構成されたが、本発明はこれに限らず、復号化回路２０２と同様の論理動作を行う他の回路構成であってもよい。
【産業上の利用可能性】
【００６０】
以上詳述したように、本発明に係る信号送信装置又は信号送信方法によれば、所定の周期を有する第１のクロック信号に同期して発生される３個以上の複数Ｎ個の伝送信号を、複数Ｎ個の合成伝送信号に符号化した後、複数Ｎ個の合成伝送信号を複数Ｎ本の伝送線を含む伝送線路を介してそれぞれ送信する。また、本発明に係る信号受信装置又は信号受信方法によれば、上記の複数Ｎ個の合成伝送信号を複数Ｎ本の伝送線を含む伝送線路を介してそれぞれ受信し、受信した合成伝送信号に基づいて、複数Ｎ個の伝送信号の復号化信号を検出する。さらに、本発明に係る信号伝送システムによれば、上記の信号送信装置と、上記の信号受信装置と、上記信号送信装置と上記信号受信装置とを接続する複数Ｎ本の伝送線を含む伝送線路とを備える。【００６１】
従って、本発明に係る信号送信装置及び方法、信号受信装置及び方法並びに信号伝送システムによれば、Ｎ個の伝送信号をＮ本の伝送線を用いて伝送できる。例えば、従来技術に係るデータ伝送システムでは４個の伝送信号を５本の伝送線を用いて伝送したが、本発明によれば４個の伝送信号を４本の伝送線を用いて伝送でき、上記従来技術に係るデータ伝送システムに比較して伝送線の数を削減できる。
【図１】
2008053661.tif 000003
【図２】
2008053661.tif 000004
【図３】
2008053661.tif 000005
【図４】
2008053661.tif 000006
【図５】
2008053661.tif 000007
【図６】
2008053661.tif 000008
【図７】
2008053661.tif 000009
【図８】
2008053661.tif 000010
【手続補正書】
【提出日】平成21年5月13日(2009.5.13)
【手続補正１】
【補正対象書類名】明細書
【補正対象項目名】全文
【補正方法】変更
【補正の内容】
【発明の詳細な説明】
【技術分野】
【０００１】
本発明は、複数の伝送信号を伝送する信号送信装置、複数の伝送信号を受信する信号受信装置、及び上記信号送信装置及び信号受信装置を備えた信号伝送システム並びにその信号送信方法及び信号受信方法に関する。
【背景技術】
【０００２】
近年、液晶テレビやプラズマテレビに代表されるフラットパネルディスプレイにおいて、ＶＧＡ(Ｖｉｄｅｏ  Ｇｒａｐｈｉｃｓ  Ａｒｒａｙ)からＸＧＡ(ｅＸｔｅｎｄｅｄ  Ｇｒａｐｈｉｃｓ  Ａｒｒａｙ)へと高画質となるに従い、画像情報を転送する信号速度は高速化が進んでいる。そこで、高速ディジタルデータ伝送の方式として、低振幅の差動伝送方式が用いられるようになった。この伝送方式は、１本の平衡ケーブル又はプリント基板上に形成された２本の配線パターンを介して、互いに逆相で振幅の等しい信号を伝送する方式である。特徴としては、低ノイズ、外来ノイズに対する強耐性、低電圧振幅、高速データ伝送などがあり、高速伝送の手法として、特にディスプレイの分野において導入が進んでいる。しかしながら、差動伝送方式は、１つのデータビット伝送に配線を２本必要とするため、複数のデータビットを伝送する場合に、配線数が比較的多くなり、プリント基板上の配線領域が広くなるという課題があった。
【０００３】
特許文献１に記載の従来技術に係るデータ伝送システムによれば、２個のデータビットの各々の差動伝送を１本の相補データ線を含む３本（上記従来の差動伝送方式では４本）の伝送線で、４個のデータビットの各々の差動伝送を１本の相補データ線を含む５本（上記従来の差動伝送方式では８本）の伝送線でそれぞれ実現でき、上記従来の差動伝送方式に比較して伝送線の数を削減できる。
【先行技術文献】
【特許文献】
【０００４】
【特許文献１】特開平１１−２３１９８４号公報。
【特許文献２】特開２００４−２８９６２６号公報。
【特許文献３】米国特許出願公開第２００３／００４３９２６号明細書。
【発明の概要】
【発明が解決しようとする課題】
【０００５】
しかしながら、従来技術に係るデータ伝送システムは、伝送線の本数をさらに削減できず、プリント基板上の配線領域をさらに削減できないという課題があった。
【０００６】
本発明の目的は以上の問題点を解決し、従来技術に比較して伝送線の本数を削減できる信号送信装置、信号受信装置、及び上記信号送信装置及び信号受信装置を備えた信号伝送システム並びにその信号送信方法及び信号受信方法を提供することにある。
【課題を解決するための手段】
【０００７】
第１の発明に係る信号送信装置は、所定の周期を有する第１のクロック信号に同期して発生される３個以上の複数Ｎ個の伝送信号を、複数Ｎ本の伝送線を含む伝送線路を介して送信する信号送信装置であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力する移相手段と、
上記第１乃至第Ｎの移相後信号の反転信号をそれぞれ発生して出力する複数Ｎ個の反転手段と、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信する複数Ｎ個の符号化送信手段とを備えたことを特徴とする。
【０００８】
第２の発明に係る信号受信装置は、上記の信号送信装置によって送信された複数Ｎ個の合成伝送信号を、複数Ｎ本の伝送線を含む伝送線路を介してそれぞれ受信する信号受信装置であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生する受信手段と、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化手段とを備えたことを特徴とする。
【０００９】
上記の信号送信装置において、上記復号化手段は、上記各伝送信号の復号化信号を一時的に記憶するレジスタ手段を備え、
上記復号化手段は、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力することを特徴とする。
【００１０】
第３の発明に係る信号伝送システムは、上記の信号送信装置と、上記の信号受信装置と、上記信号送信装置と上記信号受信装置とを接続する複数Ｎ本の伝送線を含む伝送線路とを備えたことを特徴とする。
【００１１】
第４の発明に係る信号送信方法は、所定の周期を有する第１のクロック信号に同期して発生される３個以上の複数Ｎ個の伝送信号を、複数Ｎ本の伝送線を含む伝送線路を介して送信する信号送信方法であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力するステップと、
上記第１乃至第Ｎの移相後信号の反転信号をそれぞれ発生して出力するステップと、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信するステップとを含むことを特徴とする。
【００１２】
第５の発明に係る信号受信方法は、上記の信号送信方法によって送信された複数Ｎ個の合成伝送信号を、複数Ｎ本の伝送線を含む伝送線路を介してそれぞれ受信する信号受信方法であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生するステップと、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化ステップとを含むことを特徴とする。
【００１３】
上記の信号受信方法において、上記復号化ステップは、上記各伝送信号の復号化信号を一時的に記憶するステップを含み、
上記復号化ステップは、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで記憶された、当該処理すべき受信信号から所定の一方向で隣接する受信信号に関する復号化信号を出力するステップをさらに含むことを特徴とする。
【発明の効果】
【００１４】
本発明に係る信号送信装置又は信号送信方法によれば、所定の周期を有する第１のクロック信号に同期して発生される３個以上の複数Ｎ個の伝送信号を、複数Ｎ個の合成伝送信号に符号化した後、複数Ｎ個の合成伝送信号を複数Ｎ本の伝送線を含む伝送線路を介してそれぞれ送信する。また、本発明に係る信号受信装置又は信号受信方法によれば、上記の複数Ｎ個の合成伝送信号を複数Ｎ本の伝送線を含む伝送線路を介してそれぞれ受信し、受信した合成伝送信号に基づいて、複数Ｎ個の伝送信号の復号化信号を検出する。さらに、本発明に係る信号伝送システムによれば、上記の信号送信装置と、上記の信号受信装置と、上記信号送信装置と上記信号受信装置とを接続する複数Ｎ本の伝送線を含む伝送線路とを備える。
【００１５】
従って、本発明に係る信号送信装置及び方法、信号受信装置及び方法並びに信号伝送システムによれば、Ｎ個の伝送信号をＮ本の伝送線を用いて伝送できる。例えば、従来技術に係るデータ伝送システムでは４個の伝送信号を５本の伝送線を用いて伝送したが、本発明によれば４個の伝送信号を４本の伝送線を用いて伝送でき、上記従来技術に係るデータ伝送システムに比較して伝送線の数を削減できる。
【図面の簡単な説明】
【００１６】
【図１】本発明の実施形態に係る、信号送信装置１００及び信号受信装置２００を備えた信号伝送システムの概略構成を示すブロック図である。
【図２】図１の信号受信装置２００の概略構成を示すブロック図である。
【図３】（ａ）は、図１の信号発生器１０１からバッファ１１１を介して信号送信装置１００の入力端子Ｔ１に出力される伝送信号Ｓ１の信号電圧を示す波形図であり、（ｂ）は、図１の信号発生器１０２からバッファ１１２を介して信号送信装置１００の入力端子Ｔ２に出力される伝送信号Ｓ２の信号電圧を示す波形図であり、（ｃ）は、図１の信号発生器１０３からバッファ１１３を介して信号送信装置１００の入力端子Ｔ３に出力される伝送信号Ｓ３の信号電圧を示す波形図である。
【図４】（ａ）は、図１の差動ドライバアンプ２１の非反転出力端子からの非反転信号Ｓ１１の信号電圧を示す波形図及び差動ドライバアンプ２１の反転出力端子からの反転信号Ｓ１２の信号電圧を示す波形図であり、（ｂ）は、図１の差動ドライバアンプ２２の非反転出力端子からの非反転信号Ｓ１３の信号電圧を示す波形図及び差動ドライバアンプ２２の反転出力端子からの反転信号Ｓ１４の信号電圧を示す波形図であり、（ｃ）は、図１の差動ドライバアンプ２３の非反転出力端子からの非反転信号Ｓ１５の信号電圧を示す波形図及び差動ドライバアンプ２３の反転出力端子からの反転信号Ｓ１６の信号電圧を示す波形図である。
【図５】（ａ）は、図１の信号送信装置１００の出力端子Ｔ１１を介して伝送線３１に出力される合成伝送信号Ｓ２１の入力端子Ｔ２１における信号電圧を示す波形図であり、（ｂ）は、図１の信号送信装置１００の出力端子Ｔ１２を介して伝送線３２に出力される信号Ｓ２２の入力端子Ｔ２２における信号電圧を示す波形図であり、（ｃ）は、図１の信号送信装置１００の出力端子Ｔ１３を介して伝送線３３に出力される合成伝送信号Ｓ２３の入力端子Ｔ２３における信号電圧を示す波形図である。
【図６】（ａ）は、図２の加算器４７からの受信信号Ｓ３１の信号電圧を示す波形図であり、（ｂ）は、図２の加算器４８からの受信信号Ｓ３２の信号電圧を示す波形図であり、（ｃ）は、図２の加算器４９からの受信信号Ｓ３３の信号電圧を示す波形図である。
【図７】図２の信号受信装置２００の動作の一例を示すタイミングチャートである。
【図８】図３（ａ）の伝送信号Ｓ１、図３（ｂ）の伝送信号Ｓ２及び図３（ｃ）の伝送信号Ｓ３でそれぞれ伝送される送信データＤ１、Ｄ２及びＤ３と、図６（ａ）の受信信号Ｓ３１、図６（ｂ）の受信信号Ｓ３２及び図６（ｃ）の受信信号Ｓ３３からそれぞれ所定のタイミングで検出された信号電圧と、図２の信号受信装置２００の出力端子Ｔ３１から出力される復号化信号Ｓ４１の信号電圧レベルと、図２の信号受信装置２００の出力端子Ｔ３２から出力される復号化信号Ｓ４２の信号電圧レベルと、図２の信号受信装置２００の出力端子Ｔ３３から出力される復号化信号Ｓ４３の信号電圧レベルとを示すテーブルの一例を示す図である。
【発明を実施するための形態】
【００１７】
以下、本発明に係る実施形態について図面を参照して説明する。なお、以下の実施形態において、同様の構成要素については同一の符号を付している。
【００１８】
図１は、本発明の実施形態に係る、信号送信装置１００及び信号受信装置２００を備えた信号伝送システムの概略構成を示すブロック図である。図１において、本発明の実施形態に係る信号伝送システムは、信号発生器１０１乃至１０３と、バッファ１１１乃至１１３と、信号送信装置１００と、３本の伝送線３１乃至３３を含む伝送線路３０と、信号受信装置２００と、クロック信号発生器１５１とを備えて構成される。
【００１９】
ここで、信号送信装置１００は、移相器１２及び１３を含む移相回路１０と、差動ドライバアンプ２１乃至２３と、入力端子Ｔ１乃至Ｔ３と、出力端子Ｔ１１乃至Ｔ１３とを備えて構成される。移相器１２は、入力される信号を１２０度だけ移相させて、移相後信号として差動ドライバアンプ２２に出力し、移相器１３は、入力される信号を２４０度だけ移相させて、移相後信号として差動ドライバアンプ２３に出力する。また、差動ドライバアンプ２１の非反転出力端子は差動ドライバアンプ２３の反転出力端子に接続され、差動ドライバアンプ２２の非反転出力端子は差動ドライバアンプ２１の反転出力端子に接続され、差動ドライバアンプ２３の非反転出力端子は差動ドライバアンプ２２の反転出力端子に接続される。ここで、差動ドライバアンプ２１乃至２３はそれぞれ、１Ｖの出力電圧を出力する電源によって、それぞれ駆動される。
【００２０】
また、信号受信装置２００は、入力端子Ｔ２１乃至Ｔ２４と、出力端子Ｔ３１乃至Ｔ３３とを備えて構成される。なお、信号受信装置２００の構成については、図２を参照して詳細後述する。
【００２１】
図１において、クロック信号発生器１５１は、所定の周期Δｔ１で周期的に繰り返すパルス形状を有するクロック信号ＣＬを発生して、信号発生器１０１乃至１０３及び移相器１２及び１３に出力する。さらに、クロック信号ＣＬは、クロック信号線３４及び入力端子Ｔ２４を介して信号受信装置２００に入力される。
【００２２】
また、信号発生器１０１は、クロック信号ＣＬの立ち下がりエッジの各タイミングにおいて、データ値「０」を有する１ビットの送信データＤ１に基づいて、例えば１Ｖの信号電圧を有する伝送信号Ｓ１を発生する一方、データ値「１」を有する１ビットの送信データＤ１に基づいて、例えば−１Ｖの信号電圧を有する伝送信号Ｓ１を発生して、バッファ１１１及び入力端子Ｔ１を介して差動ドライバアンプ２１に出力する。これにより、信号発生器１０１は、１ビットの送信データＤ１に基づいて、２値のバイポーラ信号である送信信号Ｓ１を発生する。さらに、差動ドライバアンプ２１からの非反転信号Ｓ１１と、差動ドライバアンプ２３からの反転信号Ｓ１６とは合成されて、合成結果の合成伝送信号Ｓ２１は出力端子Ｔ１１、伝送線３１及び入力端子Ｔ２１を介して信号受信装置２００に入力される。
【００２３】
信号発生器１０２は、クロック信号ＣＬの立ち下がりエッジの各タイミングにおいて、データ値「０」を有する１ビットの送信データＤ２に基づいて、例えば１Ｖの信号電圧を有する伝送信号Ｓ２を発生する一方、データ値「１」を有する１ビットの送信データＤ２に基づいて、例えば−１Ｖの信号電圧を有する伝送信号Ｓ２を発生して、バッファ１１２及び入力端子Ｔ２を介して移相器１２に出力する。これにより、信号発生器１０２は、１ビットの送信データＤ２に基づいて、２値のバイポーラ信号である送信信号Ｓ２を発生する。移相器１２は、入力される伝送信号Ｓ２を１２０度だけ移相させて、差動ドライバアンプ２２に伝送信号Ｓ２の移相後信号として出力する。さらに、伝送信号Ｓ２の移相後信号である差動ドライバアンプ２２からの非反転信号Ｓ１３と、伝送信号Ｓ１の移相後信号の反転信号である差動ドライバアンプ２１からの反転信号Ｓ１２とは合成されて、合成結果の合成伝送信号Ｓ２２は出力端子Ｔ１２、伝送線３２及び入力端子Ｔ２２を介して信号受信装置２００に入力される。
【００２４】
信号発生器１０３は、クロック信号ＣＬの立ち下がりエッジの各タイミングにおいて、データ値「０」を有する１ビットの送信データＤ３に基づいて、例えば１Ｖの信号電圧を有する伝送信号Ｓ３を発生する一方、データ値「１」を有する１ビットの送信データＤ３に基づいて、例えば−１Ｖの信号電圧を有する伝送信号Ｓ３を発生して、バッファ１１３及び入力端子Ｔ３を介して移相器１３に出力する。これにより、信号発生器１０３は、１ビットの送信データＤ３に基づいて、２値のバイポーラ信号である送信信号Ｓ３を発生する。移相器１３は、入力される伝送信号Ｓ３を２４０度だけ移相させて、差動ドライバアンプ２３に伝送信号Ｓ３の移相後信号として出力する。さらに、伝送信号Ｓ３の移相後信号である差動ドライバアンプ２３からの非反転信号Ｓ１５と、伝送信号Ｓ２の移相後信号の反転信号である差動ドライバアンプ２２からの反転信号Ｓ１４とは合成されて、合成結果の合成伝送信号Ｓ２３は出力端子Ｔ１３、伝送線３３及び入力端子Ｔ２３を介して信号受信装置２００に入力される。
【００２５】
図２は、図１の信号受信装置２００の概略構成を示すブロック図である。図２において、信号受信装置２００は、逓倍器８１と、ワンショットマルチバイブレータ８２と、遅延器８３及び８４と、受信回路２０１と、復号化回路２０２と、入力端子Ｔ２１乃至Ｔ２４と、出力端子Ｔ３１乃至Ｔ３３とを備えて構成される。ここで、受信回路２０１は、抵抗４１乃至４３と、差動増幅器４４乃至４６と、加算器４７乃至４９とを備えて構成される。また、復号化回路２０２は、コンパレータ５１乃至５６と、基準電圧源５１ａ乃至５６ａと、ナンドゲート５７乃至５９と、アンドゲート６１乃至６３と、スイッチ６４乃至６６と、レジスタ６７乃至６９とを備えて構成される。
【００２６】
ここで、抵抗４１は入力端子Ｔ２１と入力端子Ｔ２２との間に接続され、抵抗４２は入力端子Ｔ２２と入力端子Ｔ２３との間に接続され、抵抗４３は、入力端子Ｔ２３と入力端子Ｔ２１との間に接続される。また、基準電圧源５１ａ，５３ａ及び５５ａは、所定の基準電圧Ｖｒｅｆをそれぞれ発生して、コンパレータ５１，５３及び５５の各反転入力端子にそれぞれ出力する。さらに、基準電圧源５２ａ，５４ａ及び５６ａは、所定の基準電圧−Ｖｒｅｆをそれぞれ発生して、コンパレータ５２，５４及び５６の各反転入力端子にそれぞれ出力する。ここで、基準電圧Ｖｒｅｆは０Ｖよりも大きく、かつ、例えば２Ｖ未満の電圧値であり、好ましくは０．７Ｖである。
【００２７】
図２において、逓倍器８１は、入力端子Ｔ２４を介して入力されるクロック信号ＣＬの周波数１／Δｔ１を３逓倍して、所定の周期Δｔ３（Δｔ３＝Δｔ１／３である。）で周期的に繰り返すパルス形状を有するクロック信号ＣＬ３を発生して、ワンショットマルチバイブレータ８２に出力する。ワンショットマルチバイブレータ８２は、入力されるクロック信号ＣＬ３の立ち下がりエッジの各タイミングで、パルス長がΔｔ４（Δｔ４＝Δｔ１／２＝３×Δｔ３／２である。）であるローレベルのパルス信号を発生することにより、所定の周期Δｔ１で周期的に繰り返し、ハイレベルの時間期間とローレベルの時間期間とが等しい時間期間Δｔ４を有するパルス形状を有するクロック信号ＣＬ３１を発生して、遅延器８３と、コンパレータ５１及び５２と、レジスタ６９とに出力する。さらに、遅延器８３は、入力されるクロック信号ＣＬ３１を遅延時間Δｔ３だけ遅延させてクロック信号ＣＬ３２を発生して、遅延器８４と、コンパレータ５３及び５４と、レジスタ６７とに出力する。またさらに、遅延器８４は、入力されるクロック信号ＣＬ３２を遅延時間Δｔ３だけ遅延させてクロック信号ＣＬ３３を発生して、コンパレータ５５及び５６と、レジスタ６８とに出力する。
【００２８】
図２において、合成伝送信号Ｓ２１は、入力端子Ｔ２１を介して、差動増幅器４４の非反転入力端子と、加算器４８と、差動増幅器４６の反転入力端子に入力される。また、信号Ｓ２２は、入力端子Ｔ２２を介して、差動増幅器４５の非反転入力端子と、加算器４９と、差動増幅器４４の反転入力端子に入力される。さらに、合成伝送信号Ｓ２３は、入力端子Ｔ２３を介して、差動増幅器４６の非反転入力端子と、加算器４７と、差動増幅器４５の反転入力端子に入力される。
【００２９】
加算器４７は、差動増幅器４４からの出力信号と入力端子Ｔ２３からの合成伝送信号Ｓ２３とを加算して、加算結果の信号を受信信号Ｓ３１として、コンパレータ５１の非反転入力端子及びコンパレータ５２の非反転入力端子に出力する。コンパレータ５１は、クロック信号ＣＬ３１の立ち下がりエッジの各タイミングで受信信号Ｓ３１の信号電圧と基準電圧Ｖｒｅｆとを比較し、受信信号Ｓ３１の信号電圧が基準電圧Ｖｒｅｆ以上であるときにはハイレベルの出力信号を発生してナンドゲート５７の第１の入力端子に出力する一方、受信信号Ｓ３１の信号電圧が基準電圧Ｖｒｅｆ未満であるときにはローレベルの出力信号を発生してナンドゲート５７の第１の入力端子に出力する。また、コンパレータ５２は、クロック信号ＣＬ３１の立ち下がりエッジの各タイミングで受信信号Ｓ３１の信号電圧と基準電圧−Ｖｒｅｆとを比較し、受信信号Ｓ３１の信号電圧が基準電圧−Ｖｒｅｆ以上であるときにはハイレベルの出力信号を発生してナンドゲート５７の第２の入力端子及びアンドゲート６１の第１の入力端子に出力する一方、受信信号Ｓ３１の信号電圧が基準電圧−Ｖｒｅｆ未満であるときにはローレベルの出力信号を発生してナンドゲート５７の第２の入力端子及びアンドゲート６１の第１の入力端子に出力する。
【００３０】
さらに、ナンドゲート５７からの出力信号は、アンドゲート６１の第２の入力端子に出力される。また、ナンドゲート５７からの出力信号は、スイッチ６４の接点ａを介して復号化信号Ｓ４１として出力端子Ｔ３１に出力されるとともに、スイッチ６４の接点ａを介してクロック信号ＣＬ３１の立ち下がりエッジの各タイミングでレジスタ６９に出力される。レジスタ６９は、入力される復号化信号Ｓ４１を一時的に記憶し、スイッチ６６の接点ｂ側に出力する。また、アンドゲート６１からの出力信号は、スイッチ６４の制御端子に出力される。ここで、スイッチ６４は、アンドゲート６１からのローレベルの出力信号に応答して接点ａ側に切り換えられる一方、アンドゲート６１からのハイレベルの出力信号に応答して接点ｂ側に切り換えられる。レジスタ６７からの出力信号は、スイッチ６４の接点ｂを介して復号化信号Ｓ４１として出力端子Ｔ３１に出力されるとともに、スイッチ６４の接点ｂを介してクロック信号ＣＬ３１の立ち下がりエッジの各タイミングでレジスタ６９に出力される。
【００３１】
加算器４８は、差動増幅器４５からの出力信号と入力端子Ｔ２１からの合成伝送信号Ｓ２１とを加算して、加算結果の信号を、受信信号Ｓ３２としてコンパレータ５３の非反転入力端子及びコンパレータ５４の非反転入力端子に出力する。コンパレータ５３は、クロック信号ＣＬ３２の立ち下がりエッジの各タイミングで受信信号Ｓ３２の信号電圧と基準電圧Ｖｒｅｆとを比較し、受信信号Ｓ３２の信号電圧が基準電圧Ｖｒｅｆ以上であるときにはハイレベルの出力信号を発生してナンドゲート５８の第１の入力端子に出力する一方、受信信号Ｓ３２の信号電圧が基準電圧Ｖｒｅｆ未満であるときにはローレベルの出力信号を発生してナンドゲート５８の第１の入力端子に出力する。また、コンパレータ５４は、クロック信号ＣＬ３２の立ち下がりエッジの各タイミングで受信信号Ｓ３２の信号電圧と基準電圧−Ｖｒｅｆとを比較し、受信信号Ｓ３２の信号電圧が基準電圧−Ｖｒｅｆ以上であるときにはハイレベルの出力信号を発生してナンドゲート５８の第２の入力端子及びアンドゲート６２の第１の入力端子に出力する一方、受信信号Ｓ３２の信号電圧が基準電圧−Ｖｒｅｆ未満であるときにはローレベルの出力信号を発生してナンドゲート５８の第２の入力端子及びアンドゲート６２の第１の入力端子に出力する。
【００３２】
さらに、ナンドゲート５８からの出力信号は、アンドゲート６２の第２の入力端子に出力される。また、ナンドゲート５８からの出力信号は、スイッチ６５の接点ａを介して復号化信号Ｓ４２として出力端子Ｔ３２に出力されるとともに、スイッチ６５の接点ａを介してクロック信号ＣＬ３２の立ち下がりエッジの各タイミングでレジスタ６７に出力される。レジスタ６７は、入力される復号化信号Ｓ４２を一時的に記憶し、スイッチ６５の接点ｂ側に出力する。また、アンドゲート６２からの出力信号は、スイッチ６４の制御端子に出力される。ここで、スイッチ６５は、アンドゲート６２からのローレベルの出力信号に応答して接点ａ側に切り換えられる一方、アンドゲート６２からのハイレベルの出力信号に応答して接点ｂ側に切り換えられる。レジスタ６８からの出力信号は、スイッチ６５の接点ｂを介して復号化信号Ｓ４２として出力端子Ｔ３２に出力されるとともに、スイッチ６５の接点ｂを介してクロック信号ＣＬ３２の立ち下がりエッジの各タイミングでレジスタ６７に出力される。
【００３３】
加算器４９は、差動増幅器４６からの出力信号と入力端子Ｔ２２からの合成伝送信号Ｓ２２とを加算して、加算結果の信号を、受信信号Ｓ３３としてコンパレータ５５の非反転入力端子及びコンパレータ５６の非反転入力端子に出力する。コンパレータ５５は、クロック信号ＣＬ３３の立ち下がりエッジの各タイミングで受信信号Ｓ３３の信号電圧と基準電圧Ｖｒｅｆとを比較し、受信信号Ｓ３３の信号電圧が基準電圧Ｖｒｅｆ以上であるときにはハイレベルの出力信号を発生してナンドゲート５９の第１の入力端子に出力する一方、受信信号Ｓ３３の信号電圧が基準電圧Ｖｒｅｆ未満であるときにはローレベルの出力信号を発生してナンドゲート５９の第１の入力端子に出力する。また、コンパレータ５６は、クロック信号ＣＬ３３の立ち下がりエッジの各タイミングで受信信号Ｓ３３の信号電圧と基準電圧−Ｖｒｅｆとを比較し、受信信号Ｓ３３の信号電圧が基準電圧−Ｖｒｅｆ以上であるときにはハイレベルの出力信号を発生してナンドゲート５９の第２の入力端子及びアンドゲート６３の第１の入力端子に出力する一方、受信信号Ｓ３３の信号電圧が基準電圧−Ｖｒｅｆ未満であるときにはローレベルの出力信号を発生してナンドゲート５９の第２の入力端子及びアンドゲート６３の第１の入力端子に出力する。
【００３４】
さらに、ナンドゲート５９からの出力信号は、アンドゲート６３の第２の入力端子に出力される。また、ナンドゲート５９からの出力信号は、スイッチ６６の接点ａを介して復号化信号Ｓ４３として出力端子Ｔ３３に出力されるとともに、スイッチ６６の接点ａを介してクロック信号ＣＬ３３の立ち下がりエッジの各タイミングでレジスタ６８に出力される。レジスタ６８は、入力される復号化信号Ｓ４３を一時的に記憶し、スイッチ６５の接点ｂ側に出力する。また、アンドゲート６３からの出力信号は、スイッチ６６の制御端子に出力される。ここで、スイッチ６６は、アンドゲート６３からのローレベルの出力信号に応答して接点ａ側に切り換えられる一方、アンドゲート６３からのハイレベルの出力信号に応答して接点ｂ側に切り換えられる。レジスタ６９からの出力信号は、スイッチ６６の接点ｂを介して復号化信号Ｓ４３として出力端子Ｔ３３に出力されるとともに、スイッチ６６の接点ｂを介してクロック信号ＣＬ３３の立ち下がりエッジの各タイミングでレジスタ６８に出力される。
【００３５】
上述のように、受信回路２０１は、３個の合成伝送信号Ｓ２１乃至Ｓ２３のうちの各３個の合成伝送信号に基づいて、上記３個の合成伝送信号Ｓ２１乃至Ｓ２３のうちの第１の合成伝送信号と第２の合成伝送信号の反転信号と第３の合成伝送信号とを合成することにより１個の受信信号を生成しかつ当該合成をすべての各３個の合成伝送信号Ｓ２１乃至Ｓ２３について実行することにより、３個の受信信号Ｓ３１乃至Ｓ３３を発生することを特徴とする。また、復号化回路２０２は、クロック信号ＣＬの周期Δｔ１の１／３の周期Δｔ３を有するクロック信号ＣＬ３に基づく互いに異なるタイミングで、各受信信号Ｓ３１乃至Ｓ３３の信号レベルをそれぞれ検出し、当該検出した各受信信号Ｓ３１乃至Ｓ３３の信号レベルに基づいて、各伝送信号Ｓ１乃至Ｓ３の復号化信号Ｓ４１乃至Ｓ４３をそれぞれ検出して出力することを特徴とする。ここで、復号化回路２０２は、復号化信号Ｓ４１，Ｓ４２及びＳ４３を一時的にそれぞれ記憶するレジスタ６９，６７及び６８を備え、各受信信号Ｓ３１乃至Ｓ３３を基準電圧Ｖｒｅｆと比較するとともに、各受信信号Ｓ３１乃至Ｓ３３を基準電圧−Ｖｒｅｆと比較し、各受信信号Ｓ３１乃至Ｓ３３が基準電圧Ｖｒｅｆ以上であるときローレベルの復号化信号を出力し、各受信信号Ｓ３１乃至Ｓ３３が基準電圧−Ｖｒｅｆ未満であるときハイレベルの復号化信号を出力し、各受信信号Ｓ３１乃至Ｓ３３が基準電圧Ｖｒｅｆ未満でかつ基準電圧−Ｖｒｅｆ以上であるとき、現在の処理タイミングよりも１つ前の処理タイミングで各レジスタ６７乃至６９に記憶された、当該処理すべき受信信号から所定の一方向で隣接する受信信号に関する復号化信号を出力する。
【００３６】
図３乃至図８を参照して、以上のように構成された信号伝送システムの動作を、データ値「００００１１１１」を有する送信データＤ１と、データ値「００１１００１１」を有する送信データＤ２と、データ値「０１０１０１０１」を有する送信データＤ３とを伝送する場合について説明する。
【００３７】
図３（ａ）は、図１の信号発生器１０１からバッファ１１１を介して信号送信装置１００の入力端子Ｔ１に出力される伝送信号Ｓ１の信号電圧を示す波形図であり、図３（ｂ）は、図１の信号発生器１０２からバッファ１１２を介して信号送信装置１００の入力端子Ｔ２に出力される伝送信号Ｓ２の信号電圧を示す波形図であり、図３（ｃ）は、図１の信号発生器１０３からバッファ１１３を介して信号送信装置１００の入力端子Ｔ３に出力される伝送信号Ｓ３の信号電圧を示す波形図である。図３（ａ）に示すように、信号発生器１０１は、データ値「００００１１１１」を有する送信データＤ１に基づいて、伝送信号Ｓ１を発生して、バッファ１１１及び入力端子Ｔ１を介して差動ドライバアンプ２１に出力する。また、図３（ｂ）に示すように、信号発生器１０２は、データ値「００１１００１１」を有する送信データＤ２に基づいて、伝送信号Ｓ２を発生して、バッファ１１２を介して移相器１２に出力する。さらに、図３（ｃ）に示すように、信号発生器１０３は、データ値「０１０１０１０１」を有する伝送データＤ３に基づいて、伝送信号Ｓ３を発生して、バッファ１１３及び入力端子Ｔ３を介して移相器１３に出力する。
【００３８】
また、図４（ａ）は、図１の差動ドライバアンプ２１の非反転出力端子からの非反転信号Ｓ１１の信号電圧を示す波形図及び差動ドライバアンプ２１の反転出力端子からの反転信号Ｓ１２の信号電圧を示す波形図であり、図４（ｂ）は、図１の差動ドライバアンプ２２の非反転出力端子からの非反転信号Ｓ１３の信号電圧を示す波形図及び差動ドライバアンプ２２の反転出力端子からの反転信号Ｓ１４の信号電圧を示す波形図であり、図４（ｃ）は、図１の差動ドライバアンプ２３の非反転出力端子からの非反転信号Ｓ１５の信号電圧を示す波形図及び差動ドライバアンプ２３の反転出力端子からの反転信号Ｓ１６の信号電圧を示す波形図である。さらに、図５（ａ）は、図１の信号送信装置１００の出力端子Ｔ１１を介して伝送線３１に出力される合成伝送信号Ｓ２１の入力端子Ｔ２１における信号電圧を示す波形図であり、図５（ｂ）は、図１の信号送信装置１００の出力端子Ｔ１２を介して伝送線３２に出力される合成伝送信号Ｓ２２の入力端子Ｔ２２における信号電圧を示す波形図であり、図５（ｃ）は、図１の信号送信装置１００の出力端子Ｔ１３を介して伝送線３３に出力される合成伝送信号Ｓ２３の入力端子Ｔ２３における信号電圧を示す波形図である。
【００３９】
図３乃至図５に示すように、伝送信号Ｓ１の非反転信号Ｓ１１と、移相器１３によって２４０度だけ移相された伝送信号Ｓ３の反転信号Ｓ１６とは合成され、合成結果の合成伝送信号Ｓ２１は、出力端子Ｔ１１、伝送線３１及び入力端子Ｔ２１を介して信号受信装置２００に伝送される。また、移相器１２によって１２０度だけ移相された伝送信号Ｓ２の非反転信号Ｓ１３と、伝送信号Ｓ１の反転信号Ｓ１２とは合成され、合成結果の合成伝送信号Ｓ２２は、出力端子Ｔ１２、伝送線３２及び入力端子Ｔ２２を介して信号受信装置２００に伝送される。さらに、移相器１３によって２４０度だけ移相された伝送信号Ｓ３の非反転信号Ｓ１５と、移相器１２によって１２０度だけ移相された伝送信号Ｓ２の反転信号Ｓ１４とは合成され、合成結果の合成伝送信号Ｓ２３は、出力端子Ｔ１３、伝送線３３及び入力端子Ｔ２３を介して信号受信装置２００に伝送される。なお、図５（ａ）、図５（ｂ）及び図５（ｃ）において、伝送線３１乃至３３での損失により、合成伝送信号Ｓ３１乃至Ｓ３３の入力端子Ｔ２１乃至Ｔ２３における各信号電圧は、出力端子Ｔ１１乃至Ｔ１３における各信号電圧の半分の値をそれぞれ有する。
【００４０】
図６（ａ）は、図２の加算器４７からの受信信号Ｓ３１の信号電圧を示す波形図であり、図６（ｂ）は、図２の加算器４８からの受信信号Ｓ３２の信号電圧を示す波形図であり、図６（ｃ）は、図２の加算器４９からの受信信号Ｓ３３の信号電圧を示す波形図である。図６に示すように、加算器４７は、合成伝送信号Ｓ２１から合成伝送信号Ｓ２２を減算した信号と合成伝送信号Ｓ２３とを加算して、加算結果の信号を、受信信号Ｓ３１としてコンパレータ５１の非反転入力端子及びコンパレータ５２の非反転入力端子に出力する。また、加算器４８は、合成伝送信号Ｓ２２から合成伝送信号Ｓ２３を減算した信号と合成伝送信号Ｓ２１とを加算して、加算結果の信号を、受信信号Ｓ３２としてコンパレータ５３の非反転入力端子及びコンパレータ５４の非反転入力端子に出力する。さらに、加算器４９は、合成伝送信号Ｓ２３から合成伝送信号Ｓ２１を減算した信号と合成伝送信号Ｓ２２とを加算して、加算結果の信号を、受信信号Ｓ３３としてコンパレータ５５の非反転入力端子及びコンパレータ５６の非反転入力端子に出力する。
【００４１】
図７は、図２の信号受信装置２００の動作の一例を示すタイミングチャートである。また、図８は、図３（ａ）の伝送信号Ｓ１、図３（ｂ）の伝送信号Ｓ２の及び図３（ｃ）の伝送信号Ｓ３でそれぞれ伝送される送信データＤ１、Ｄ２及びＤ３と、図６（ａ）の受信信号Ｓ３１、図６（ｂ）の受信信号Ｓ３２及び図６（ｃ）の受信信号Ｓ３３からそれぞれ所定のタイミングで検出された信号電圧と、図２の信号受信装置２００の出力端子Ｔ３１から出力される復号化信号Ｓ４１の信号電圧レベルと、図２の信号受信装置２００の出力端子Ｔ３２から出力される復号化信号Ｓ４２の信号電圧レベルと、及び図２の信号受信装置２００の出力端子Ｔ３３から出力される復号化信号Ｓ４３の信号電圧レベルとを示すテーブルの一例を示す図である。ここで、基準電圧源５１ａ，５３ａ及び５５ａによってそれぞれ発生される基準電圧Ｖｒｅｆを０．７Ｖとし、基準電圧源５２ａ，５４ａ及び５６ａによってそれぞれ発生される基準電圧−Ｖｒｅｆを−０．７Ｖとする。
【００４２】
図７において、タイミングｔ１で、コンパレータ５１は、受信信号Ｓ３１の信号電圧（１Ｖである。）と基準電圧Ｖｒｅｆとを比較し、ハイレベルの出力信号を発生してナンドゲート５７の第１の入力端子に出力する。また、タイミングｔ１で、コンパレータ５２は、受信信号Ｓ３１の信号電圧と基準電圧−Ｖｒｅｆとを比較し、ハイレベルの出力信号を発生してナンドゲート５７の第２の入力端子及びアンドゲート６１の第１の入力端子に出力する。さらに、ナンドゲート５７からのローレベルの出力信号は、アンドゲート６１の第２の入力端子に出力される。次いで、アンドゲート６１からのローレベルの出力信号に応答して、スイッチ６４は接点ａ側に切り換えられ、ナンドゲート５７からのローレベルの出力信号は、スイッチ６４の接点ａを介して、ローレベルの復号化信号Ｓ４１として出力端子Ｔ３１に出力されるとともに、タイミングｔ１でレジスタ６９に出力される。
【００４３】
タイミングｔ２で、コンパレータ５３は、受信信号Ｓ３２の信号電圧（１Ｖである。）と基準電圧Ｖｒｅｆとを比較し、ハイレベルの出力信号を発生してナンドゲート５８の第１の入力端子に出力する。また、タイミングｔ２で、コンパレータ５４は、受信信号Ｓ３２の信号電圧と基準電圧−Ｖｒｅｆとを比較し、ハイレベルの出力信号を発生してナンドゲート５８の第２の入力端子及びアンドゲート６２の第１の入力端子に出力する。さらに、ナンドゲート５８からのローレベルの出力信号は、アンドゲート６２の第２の入力端子に出力される。次いで、アンドゲート６２からのローレベルの出力信号に応答して、スイッチ６５は接点ａ側に切り換えられ、ナンドゲート５８からのローレベルの出力信号は、スイッチ６５の接点ａを介して、ローレベルの復号化信号Ｓ４２として出力端子Ｔ３２に出力されるとともに、タイミングｔ２でレジスタ６７に出力される。
【００４４】
タイミングｔ３で、コンパレータ５５は、受信信号Ｓ３３の信号電圧（０Ｖである。）と基準電圧Ｖｒｅｆとを比較し、ローレベルの出力信号を発生してナンドゲート５９の第１の入力端子に出力する。また、タイミングｔ３で、コンパレータ５６は、受信信号Ｓ３３の信号電圧と基準電圧−Ｖｒｅｆとを比較し、ハイレベルの出力信号を発生してナンドゲート５９の第２の入力端子及びアンドゲート６３の第１の入力端子に出力する。さらに、ナンドゲート５９からのハイレベルの出力信号は、アンドゲート６３の第２の入力端子に出力される。次いで、アンドゲート６３からのハイレベルの出力信号に応答して、スイッチ６６は接点ｂ側に切り換えられ、タイミングｔ１でレジスタ６９に記憶されたローレベルの信号は、スイッチ６５の接点ｂを介して、ローレベルの復号化信号Ｓ４３として出力端子Ｔ３３に出力されるとともに、タイミングｔ３でレジスタ６８に出力される。
【００４５】
タイミングｔ４で、コンパレータ５１は、受信信号Ｓ３１の信号電圧（０Ｖである。）と基準電圧Ｖｒｅｆとを比較し、ローレベルの出力信号を発生してナンドゲート５７の第１の入力端子に出力する。また、タイミングｔ４で、コンパレータ５２は、受信信号Ｓ３１の信号電圧と基準電圧−Ｖｒｅｆとを比較し、ハイレベルの出力信号を発生してナンドゲート５７の第２の入力端子及びアンドゲート６１の第１の入力端子に出力する。さらに、ナンドゲート５７からのハイレベルの出力信号は、アンドゲート６１の第２の入力端子に出力される。次いで、アンドゲート６１からのハイレベルの出力信号に応答して、スイッチ６４は接点ｂ側に切り換えられ、タイミングｔ２でレジスタ６７に記憶されたローレベルの信号は、スイッチ６４の接点ｂを介して、ローレベルの復号化信号Ｓ４１として出力端子Ｔ３１に出力されるとともに、タイミングｔ４でレジスタ６９に出力される。
【００４６】
タイミングｔ５で、コンパレータ５３は、受信信号Ｓ３２の信号電圧（０Ｖである。）と基準電圧Ｖｒｅｆとを比較し、ローレベルの出力信号を発生してナンドゲート５８の第１の入力端子に出力する。また、タイミングｔ５で、コンパレータ５４は、受信信号Ｓ３２の信号電圧と基準電圧−Ｖｒｅｆとを比較し、ハイレベルの出力信号を発生してナンドゲート５８の第２の入力端子及びアンドゲート６２の第１の入力端子に出力する。さらに、ナンドゲート５８からのハイレベルの出力信号は、アンドゲート６２の第２の入力端子に出力される。次いで、アンドゲート６２からのハイレベルの出力信号に応答して、スイッチ６５は接点ｂ側に切り換えられ、タイミングｔ３でレジスタ６８に記憶されたローレベルの信号は、スイッチ６５の接点ｂを介して、ローレベルの復号化信号Ｓ４２として出力端子Ｔ３２に出力されるとともに、タイミングｔ５でレジスタ６７に出力される。
【００４７】
タイミングｔ６で、コンパレータ５５は、受信信号Ｓ３３の信号電圧（−２Ｖである。）と基準電圧Ｖｒｅｆとを比較し、ローレベルの出力信号を発生してナンドゲート５９の第１の入力端子に出力する。また、タイミングｔ６で、コンパレータ５６は、受信信号Ｓ３３の信号電圧と基準電圧−Ｖｒｅｆとを比較し、ローレベルの出力信号を発生してナンドゲート５９の第２の入力端子及びアンドゲート６３の第１の入力端子に出力する。さらに、ナンドゲート５９からのハイレベルの出力信号は、アンドゲート６３の第２の入力端子に出力される。次いで、アンドゲート６３からのローレベルの出力信号に応答して、スイッチ６６は接点ａ側に切り換えられ、ナンドゲート５９からのハイレベルの出力信号は、スイッチ６６の接点ａを介して、ハイレベルの復号化信号Ｓ４３として出力端子Ｔ３３に出力されるとともに、タイミングｔ６でレジスタ６８に出力される。
【００４８】
以下、上記の各タイミングｔ１乃至ｔ６と同様に、各タイミングｔ７，ｔ１０，ｔ１３，ｔ１６，ｔ１９，ｔ２２での受信信号Ｓ３１の各信号電圧と、各タイミングｔ８，ｔ１１，ｔ１４，ｔ１７，ｔ２０，ｔ２３での受信信号Ｓ３２の各信号電圧と、各タイミングｔ９，ｔ１２，ｔ１５，ｔ１８，ｔ２１，ｔ２４での受信信号Ｓ３３の各信号電圧とに基づいて、ローレベル又はハイレベルの各復号化信号Ｓ４１乃至Ｓ４３を発生する。
【００４９】
以上詳述したように、本実施形態に係る信号送信装置によれば、３個の伝送信号Ｓ１乃至Ｓ３に基づいて３個の合成伝送信号Ｓ２１乃至Ｓ２３を発生して、３本の伝送線３１乃至３３にそれぞれ符号化出力する。また、本実施形態に係る信号受信装置によれば、３本の伝送線３１乃至３３を介してそれぞれ受信した合成伝送信号Ｓ２１乃至Ｓ２３に基づいて受信信号Ｓ３１乃至Ｓ３３を発生し、受信信号Ｓ３１乃至Ｓ３３に基づいて３個の伝送信号Ｓ１乃至Ｓ３の復号化信号Ｓ４１乃至Ｓ４３を検出する。さらに、本実施形態に係る信号伝送システムによれば、信号送信装置１００、信号受信装置２００及び信号送信装置１００と信号受信装置２００とを接続する伝送線路３０を備えた。従って、本発明に係る信号送信装置及び方法、信号受信装置及び方法並びに信号伝送システムによれば、３個の伝送信号を３本の伝送線を用いて伝送できる。従来、３個の伝送信号を伝送する場合、従来技術に係るデータ伝送システムを用いて２個の伝送信号を３本の伝送線を介して伝送し、従来の差動伝送方式を用いて残りの１個の伝送信号を２本の伝送線を介して伝送したので、合計５本の伝送線が必要だった。すなわち、本発明によれば、従来技術に比較して、伝送線の本数を削減できる。
【００５０】
上記の実施形態において、クロック信号発生器１５１が発生したクロック信号ＣＬをクロック信号線３４を介して信号受信装置２００に伝送したが、本発明はこれに限らず、伝送線路３０を介して伝送される信号３１乃至３３に基づいてクロック信号ＣＬを再生して逓倍器８１に出力してもよい。
【００５１】
また、上記の実施形態において、移相回路１０は移相器１２及び１３を備えたが、本発明はこれに限らず、上記各伝送信号Ｓ１乃至Ｓ３をそれぞれ、上記各伝送信号Ｓ１乃至Ｓ３の移相量が互いに２π／３だけ互いに異なるように所定の移相量だけ移相させることにより、移相後の３個の伝送信号を３個の移相後信号として、それぞれ各差動ドライバアンプ２１乃至２３に出力する移相回路であってもよい。
【００５２】
さらに、上記の実施形態において、差動ドライバアンプ２１からの非反転信号Ｓ１１と差動ドライバアンプ２３からの反転信号Ｓ１６とを合成することにより合成伝送信号Ｓ２１を発生し、差動ドライバアンプ２２からの非反転信号Ｓ１３と差動ドライバアンプ２１からの反転信号Ｓ１２とを合成することにより合成伝送信号Ｓ２２を発生し、差動ドライバアンプ２３からの非反転信号Ｓ１５と差動ドライバアンプ２２からの反転信号Ｓ１４とを合成することにより合成伝送信号Ｓ２３を発生したが、本発明はこれに限られない。この場合、差動ドライバアンプ２１からの非反転信号Ｓ１１と差動ドライバアンプ２２からの反転信号Ｓ１４とを合成することにより合成伝送信号Ｓ２１を発生し、差動ドライバアンプ２２からの非反転信号Ｓ１３と差動ドライバアンプ２３からの反転信号Ｓ１６とを合成することにより合成伝送信号Ｓ２２を発生し、差動ドライバアンプ２３からの非反転信号Ｓ１５と差動ドライバアンプ２１からの反転信号Ｓ１２とを合成することにより合成伝送信号Ｓ２３を発生してもよい。このとき、信号受信装置２００の受信回路２０１において、合成伝送信号Ｓ２１を差動増幅器４４の非反転入力端子と差動増幅器４５の反転入力端子と加算器４９に出力し、合成伝送信号Ｓ２２を差動増幅器４５の非反転入力端子と差動増幅器４６の反転入力端子と加算器４７に出力し、合成伝送信号Ｓ２３を差動増幅器４６の非反転入力端子と差動増幅器４４の反転入力端子と加算器４８に出力すればよい。さらに、信号受信装置２００の復号化回路２０２において、レジスタ６７の出力端子とスイッチ６６の接点ｂとを接続し、レジスタ６８の出力端子とスイッチ６４の接点ｂとを接続し、レジスタ６９の出力端子とスイッチ６５の接点ｂとを接続すればよい。
【００５３】
またさらに、上記の実施形態において、差動増幅器４４からの出力信号と合成伝送信号Ｓ２３とを加算することにより受信信号Ｓ３１を発生し、差動増幅器４５からの出力信号と合成伝送信号Ｓ２１とを加算することにより受信信号Ｓ３２を発生し、差動増幅器４６からの出力信号と合成伝送信号Ｓ２２とを加算することにより受信信号Ｓ３３を発生したが、本発明はこれに限られない。この場合、合成伝送信号Ｓ２１と合成伝送信号Ｓ２２の反転信号と合成伝送信号Ｓ２３とを合成することにより受信信号Ｓ３１を発生し、合成伝送信号Ｓ２２と合成伝送信号Ｓ２３の反転信号と合成伝送信号Ｓ２１とを合成することにより受信信号Ｓ３２を発生し、合成伝送信号Ｓ２３と合成伝送信号Ｓ２１の反転信号と合成伝送信号Ｓ２２とを合成することにより受信信号Ｓ３３を発生してもよい。
【００５４】
また、上記の実施形態において、３個の伝送信号Ｓ１乃至Ｓ３を３本の伝送線３１乃至３３を含む伝送線路を介して伝送したが、本発明はこれに限らず、３個以上のＮ個の伝送信号をＮ本の伝送線を含む伝送線路を介して伝送してもよい。この場合、信号送信装置は、各伝送信号をそれぞれ、各伝送信号の移相量が互いに２π／Ｎだけ異なるように所定の移相量だけ移相させることにより、移相後のＮ個の伝送信号をＮ個の移相後信号として出力する移相手段と、第１乃至第Ｎの移相後信号の反転信号をそれぞれ発生して出力する複数Ｎ個の反転手段と、Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して各伝送線にそれぞれ送信する複数Ｎ個の符号化送信手段とを備えればよい。
【００５５】
さらに、信号受信装置は、上記のＮ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生する受信手段と、上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化手段とを備えればよい。
【００５６】
ここで、好ましくは、上記復号化手段は、上記各伝送信号の復号化信号を一時的に記憶するレジスタ手段を備え、上記復号化手段は、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力する。
【００５７】
また、上記の実施形態において、信号受信装置２００は受信信号Ｓ３１乃至Ｓ３３の信号電圧に基づいて、伝送信号Ｓ１乃至Ｓ３の復号化信号Ｓ４１乃至Ｓ４３を検出したが、本発明はこれに限らず、受信信号Ｓ３１乃至Ｓ３３の信号レベルに基づいて、伝送信号Ｓ１乃至Ｓ３の復号化信号Ｓ４１乃至Ｓ４３を検出してもよい。
【００５８】
さらに、上記の実施形態において、コンパレータ５１乃至５６と、基準電圧源５１ａ乃至５６ａと、ナンドゲート５７乃至５９と、アンドゲート６１乃至６３と、スイッチ６４乃至６６と、レジスタ６７乃至６９とを備えて構成されたが、本発明はこれに限らず、復号化回路２０２と同様の論理動作を行う他の回路構成であってもよい。
【産業上の利用可能性】
【００５９】
以上詳述したように、本発明に係る信号送信装置又は信号送信方法によれば、所定の周期を有する第１のクロック信号に同期して発生される３個以上の複数Ｎ個の伝送信号を、複数Ｎ個の合成伝送信号に符号化した後、複数Ｎ個の合成伝送信号を複数Ｎ本の伝送線を含む伝送線路を介してそれぞれ送信する。また、本発明に係る信号受信装置又は信号受信方法によれば、上記の複数Ｎ個の合成伝送信号を複数Ｎ本の伝送線を含む伝送線路を介してそれぞれ受信し、受信した合成伝送信号に基づいて、複数Ｎ個の伝送信号の復号化信号を検出する。さらに、本発明に係る信号伝送システムによれば、上記の信号送信装置と、上記の信号受信装置と、上記信号送信装置と上記信号受信装置とを接続する複数Ｎ本の伝送線を含む伝送線路とを備える。
【００６０】
従って、本発明に係る信号送信装置及び方法、信号受信装置及び方法並びに信号伝送システムによれば、Ｎ個の伝送信号をＮ本の伝送線を用いて伝送できる。例えば、従来技術に係るデータ伝送システムでは４個の伝送信号を５本の伝送線を用いて伝送したが、本発明によれば４個の伝送信号を４本の伝送線を用いて伝送でき、上記従来技術に係るデータ伝送システムに比較して伝送線の数を削減できる。
【符号の説明】
【００６１】
１０…移相回路、
１２，１３…移相器、
２１〜２３…差動ドライバアンプ、
３０…伝送線路、
３１〜３３…伝送線、
３４…クロック信号線、
４１〜４３…抵抗、
４４〜４６…差動増幅器、
４７〜４９…加算器、
５１〜５６…コンパレータ、
５７〜５９…ナンドゲート、
６１〜６３…アンドゲート、
６４〜６６…スイッチ、
６７〜６９…レジスタ、
８１…逓倍器、
８２…ワンショットマルチバイブレータ、
８３，８４…遅延器、
１００…信号送信装置、
１０１〜１０３…信号発生器、
１１１〜１１３…バッファ、
１５１…クロック信号発生器、
２００…信号受信装置、
２０１…受信回路、
２０２…復号化回路、
５１ａ〜５６ａ…基準電圧源、
Ｔ１〜Ｔ３，Ｔ２１〜Ｔ２４…入力端子、
Ｔ１１〜Ｔ１３，Ｔ３１〜Ｔ３３…出力端子。
【手続補正２】
【補正対象書類名】特許請求の範囲
【補正対象項目名】全文
【補正方法】変更
【補正の内容】
【特許請求の範囲】
【請求項１】
所定の周期を有する第１のクロック信号に同期して発生される３個以上の複数Ｎ個の伝送信号を、複数Ｎ本の伝送線を含む伝送線路を介して送信する信号送信装置であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力する移相手段と、
上記第１乃至第Ｎの移相後信号の反転信号をそれぞれ発生して出力する複数Ｎ個の反転手段と、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信する複数Ｎ個の符号化送信手段とを備えたことを特徴とする信号送信装置。
【請求項２】
請求項１記載の信号送信装置によって送信された複数Ｎ個の合成伝送信号を、複数Ｎ本の伝送線を含む伝送線路を介してそれぞれ受信する信号受信装置であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生する受信手段と、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化手段とを備えたことを特徴とする信号受信装置。
【請求項３】
上記復号化手段は、上記各伝送信号の復号化信号を一時的に記憶するレジスタ手段を備え、
上記復号化手段は、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで上記レジスタ手段に記憶された、当該処理すべき受信信号から所定の一方向で隣接する受信信号に関する復号化信号を出力することを特徴とする請求項２記載の信号受信装置。
【請求項４】
請求項１記載の信号送信装置と、
請求項２又は３記載の信号受信装置と、
上記信号送信装置と上記信号受信装置とを接続する複数Ｎ本の伝送線を含む伝送線路とを備えたことを特徴とする信号伝送システム。
【請求項５】
所定の周期を有する第１のクロック信号に同期して発生される３個以上の複数Ｎ個の伝送信号を、複数Ｎ本の伝送線を含む伝送線路を介して送信する信号送信方法であって、
上記各伝送信号をそれぞれ、上記各伝送信号の移相量が互いに２π／Ｎだけ異なるように所定の移相量だけ移相させることにより、移相後のＮ個の伝送信号をＮ個の移相後信号として出力するステップと、
上記第１乃至第Ｎの移相後信号の反転信号をそれぞれ発生して出力するステップと、
上記Ｎ個の移相後信号のうちの各１対の移相後信号の移相量が互いに２π／Ｎだけ異なるときの当該１対の移相後信号が第１と第２の移相後信号を含むときに、当該第１の移相後信号の反転信号と当該第２の移相後信号とを合成しかつ当該合成をすべての各１対の移相後信号について実行することにより、Ｎ個の合成伝送信号を発生して上記各伝送線にそれぞれ送信するステップとを含むことを特徴とする信号送信方法。
【請求項６】
請求項５記載の信号送信方法によって送信された複数Ｎ個の合成伝送信号を、複数Ｎ本の伝送線を含む伝送線路を介してそれぞれ受信する信号受信方法であって、
上記Ｎ個の合成伝送信号のうちの各３個の合成伝送信号に基づいて、上記３個の合成伝送信号のうちの第１の合成伝送信号と第２の合成伝送信号の反転信号と第３の合成伝送信号とを合成することにより１個の受信信号を生成しかつ当該合成をすべての各３個の合成伝送信号について実行することにより、Ｎ個の受信信号を発生するステップと、
上記周期の１／Ｎの周期を有する第２のクロック信号に基づく互いに異なるタイミングで、上記各受信信号の信号レベルをそれぞれ検出し、当該検出した各受信信号の信号レベルに基づいて、上記各伝送信号の復号化信号をそれぞれ検出して出力する復号化ステップとを含むことを特徴とする信号受信方法。
【請求項７】
上記復号化ステップは、上記各伝送信号の復号化信号を一時的に記憶するステップを含み、
上記復号化ステップは、上記各受信信号を第１の基準レベルと比較するとともに、上記各受信信号を上記第１の基準レベルよりも小さい第２の基準レベルと比較し、上記各受信信号が上記第１の基準レベル以上であるとき第１の信号レベルを有する復号化信号を出力し、上記各受信信号が上記第２の基準レベル未満であるとき第２の信号レベルを有する復号化信号を出力し、上記各受信信号が上記第１の基準レベル未満でかつ上記第２の基準レベル以上であるとき、現在の処理タイミングよりも１つ前の処理タイミングで記憶された、当該処理すべき受信信号から所定の一方向で隣接する受信信号に関する復号化信号を出力するステップをさらに含むことを特徴とする請求項６記載の信号受信方法。
【手続補正３】
【補正対象書類名】図面
【補正対象項目名】全図
【補正方法】変更
【補正の内容】
【図１】
2008053661.tif 000011
【図２】
2008053661.tif 000012
【図３】
2008053661.tif 000013
【図４】
2008053661.tif 000014
【図５】
2008053661.tif 000015
【図６】
2008053661.tif 000016
【図７】
2008053661.tif 000017
【図８】
2008053661.tif 000018
【国際調査報告】
2008053661.tif 000019
2008053661.tif 000020
2008053661.tif 000021
2008053661.tif 000022